(57)【特許請求の範囲】
【請求項１】
外部装置と通信を行う通信部と、
撮像を行う撮像装置、および画像を表示する表示装置それぞれの位置を特定する位置特定部と、
画像を表示させる表示装置の位置と、表示させる前記画像を撮像する撮像装置の位置とに基づいて、前記撮像装置が撮像した画像を水平方向に反転させるかを判定する処理判定部と、
前記撮像装置が撮像した画像を水平方向に選択的に反転させる処理部と、
を備え、
前記処理部は、
前記画像を水平方向に反転させると判定された場合には、前記撮像装置が撮像した画像を水平方向に反転させて、水平方向に反転させた画像を前記表示装置に表示させ、
前記画像を水平方向に反転させると判定されない場合には、前記撮像装置が撮像した画像を前記表示装置に表示させる、表示制御装置。
【請求項２】
撮像された前記画像に対応する音声を示す複数チャネルの音声信号があるとき、
前記処理部は、前記画像を水平方向に反転させると判定された場合には、前記音声信号における第１チャネルの音声信号と第２チャネルの音声信号とを反転させ、反転された音声信号が示す音声を前記表示装置に再生させる、請求項１に記載の表示制御装置。
【請求項３】
自装置の位置を検出する位置検出部をさらに備える、請求項１に記載の表示制御装置。
【請求項４】
撮像を行う撮像部をさらに備え、
自装置が、前記表示装置に表示させる画像を撮像する撮像装置である場合には、
前記処理判定部は、自装置の位置と、画像を表示させる表示装置の位置とに基づいて、前記撮像部が撮像した画像を水平方向に反転させるかを判定し、
前記処理部は、
前記画像を水平方向に反転させると判定された場合には、水平方向に反転させた画像を示す画像信号を前記表示装置へ送信させ、
前記画像を水平方向に反転させると判定されない場合には、前記撮像部が撮像した画像を示す画像信号を前記表示装置へ送信させる、請求項１に記載の表示制御装置。
【請求項５】
画像を表示する表示部をさらに備え、
自装置が、前記撮像装置が撮像した画像を表示する表示装置である場合には、
前記処理判定部は、自装置の位置と、前記撮像装置の位置とに基づいて、前記撮像装置が撮像した画像を水平方向に反転させるかを判定し、
前記画像を水平方向に反転させると判定された場合には、前記通信部が受信した、前記撮像装置から送信された画像信号が示す画像を水平方向に反転させ、水平方向に反転させた画像を前記表示部に表示させ、
前記画像を水平方向に反転させると判定されない場合には、前記通信部が受信した、前記撮像装置から送信された画像信号が示す画像を前記表示部に表示させる、請求項１に記載の表示制御装置。
【請求項６】
前記通信部は、１または２以上の撮像装置、および１または２以上の表示装置それぞれと通信を行い、
前記処理部は、
前記画像を水平方向に反転させると判定された場合に、前記通信部が受信した、前記撮像装置から送信された画像信号が示す画像を水平方向に反転させて、水平方向に反転させた画像を示す画像信号を、前記撮像装置から送信された画像信号の送信先の表示装置へ送信させ、
前記画像を水平方向に反転させると判定されない場合には、前記通信部が受信した、前記撮像装置から送信された画像信号を、前記送信先の表示装置へ送信させる、請求項１に記載の表示制御装置。
【請求項７】
撮像を行う撮像装置、および画像を表示する表示装置それぞれの位置を特定するステップと、
画像を表示させる表示装置の位置と、表示させる前記画像を撮像する撮像装置の位置とに基づいて、前記撮像装置が撮像した画像を水平方向に反転させるかを判定するステップと、
前記撮像装置が撮像した画像を水平方向に選択的に反転させるステップと、
を有し、
前記反転させるステップでは、
前記画像を水平方向に反転させると判定された場合には、前記撮像装置が撮像した画像を水平方向に反転させて、水平方向に反転させた画像を前記表示装置に表示させ、
前記画像を水平方向に反転させると判定されない場合には、前記撮像装置が撮像した画像を前記表示装置に表示させる、表示制御方法。
【請求項８】
撮像を行う撮像装置、および画像を表示する表示装置それぞれの位置を特定するステップ、
画像を表示させる表示装置の位置と、表示させる前記画像を撮像する撮像装置の位置とに基づいて、前記撮像装置が撮像した画像を水平方向に反転させるかを判定するステップ、
前記撮像装置が撮像した画像を水平方向に選択的に反転させるステップ、
をコンピュータに実行させ、
前記反転させるステップでは、
前記画像を水平方向に反転させると判定された場合には、前記撮像装置が撮像した画像を水平方向に反転させて、水平方向に反転させた画像を前記表示装置に表示させ、
前記画像を水平方向に反転させると判定されない場合には、前記撮像装置が撮像した画像を前記表示装置に表示させる、プログラム。
【請求項９】
１または２以上の撮像を行う撮像装置と、
１または２以上の画像を表示する表示装置と、
前記撮像装置、および前記表示装置それぞれと通信を行う表示制御装置と、
を有し、
前記表示制御装置は、
前記撮像装置、および前記表示装置それぞれと通信を行う通信部と、
前記撮像装置、および前記表示装置それぞれの位置を特定する位置特定部と、
画像を表示させる表示装置の位置と、表示させる前記画像を撮像する撮像装置の位置とに基づいて、前記撮像装置が撮像した画像を水平方向に反転させるかを判定する処理判定部と、
前記撮像装置が撮像した画像を水平方向に選択的に反転させる処理部と、
を備え、
前記処理部は、
前記画像を水平方向に反転させると判定された場合に、前記通信部が受信した、前記撮像装置から送信された画像信号が示す画像を水平方向に反転させて、水平方向に反転させた画像を示す画像信号を、前記撮像装置から送信された画像信号の送信先の表示装置へ送信させ、
前記画像を水平方向に反転させると判定されない場合には、前記通信部が受信した、前記撮像装置から送信された画像信号を、前記送信先の表示装置へ送信させる、表示制御システム。
【発明の詳細な説明】
【技術分野】
【０００１】
本開示は、表示制御装置、表示制御方法、プログラム、および表示制御システムに関する。
【背景技術】
【０００２】
現在、例えばインターネットやＬＡＮ（Local  Area  Network）などのネットワークを介して装置間でコンテンツデータの送受信が可能な、アプリケーションやサービスの利用が進んでいる。
【０００３】
このような中、無線通信を用いたネットワークにおいて、画像データや音声データなどのコンテンツデータを安定的に伝送することが可能な範囲の拡大を図る技術が開発されている。中継を行うことによって、コンテンツデータを安定的に伝送することが可能な範囲の拡大を図る技術としては、例えば、特許文献１に記載の技術が挙げられる。
【先行技術文献】
【特許文献】
【０００４】
【特許文献１】特開２００５−１２７１０号公報
【発明の概要】
【発明が解決しようとする課題】
【０００５】
例えば特許文献１に記載の技術を用いることによって、画像（動画像または静止画像。以下、同様とする。）、または、画像および音声（音楽も含む。以下同様とする。）を示すコンテンツデータを安定的により広い範囲に伝送可能な通信システムを実現することができる。よって、例えば特許文献１に記載の技術などがイベントのライブ中継に用いられることによって、ユーザは、例えば、イベントが開催されている屋内または屋外の会場にいながら、リアルタイムに伝送される画像（または、低遅延で伝送される画像。以下、同様とする。）を、携帯電話やＰＣ（Personal  Computer）などの表示装置を用いて楽しむことが可能となる。
【０００６】
しかしながら、上記の場合には、ユーザは、ユーザが直接的にみる対象物と、表示装置の表示画面に映るリアルタイムに伝送される画像を介して間接的にみる対象物との間に違和感を覚える恐れがある。
【０００７】
そこで、本開示では、ユーザが感じうる違和感の低減を図ることが可能な、新規かつ改良された表示制御装置、表示制御方法、プログラム、および表示制御システムを提案する。
【課題を解決するための手段】
【０００８】
本開示によれば、外部装置と通信を行う通信部と、撮像を行う撮像装置、および画像を表示する表示装置それぞれの位置を特定する位置特定部と、画像を表示させる表示装置の位置と、表示させる上記画像を撮像する撮像装置の位置とに基づいて、上記撮像装置が撮像した画像を水平方向に反転させるかを判定する処理判定部と、上記撮像装置が撮像した画像を水平方向に選択的に反転させる処理部と、を備え、上記処理部は、上記画像を水平方向に反転させると判定された場合には、上記撮像装置が撮像した画像を水平方向に反転させて、水平方向に反転させた画像を上記表示装置に表示させ、上記画像を水平方向に反転させると判定されない場合には、上記撮像装置が撮像した画像を上記表示装置に表示させる、表示制御装置が提供される。
【０００９】
また、本開示によれば、撮像を行う撮像装置、および画像を表示する表示装置それぞれの位置を特定するステップと、画像を表示させる表示装置の位置と、表示させる上記画像を撮像する撮像装置の位置とに基づいて、上記撮像装置が撮像した画像を水平方向に反転させるかを判定するステップと、上記撮像装置が撮像した画像を水平方向に選択的に反転させるステップと、を有し、上記反転させるステップでは、上記画像を水平方向に反転させると判定された場合には、上記撮像装置が撮像した画像を水平方向に反転させて、水平方向に反転させた画像を上記表示装置に表示させ、上記画像を水平方向に反転させると判定されない場合には、上記撮像装置が撮像した画像を上記表示装置に表示させる、表示制御方法が提供される。
【００１０】
また、本開示によれば、撮像を行う撮像装置、および画像を表示する表示装置それぞれの位置を特定するステップ、画像を表示させる表示装置の位置と、表示させる上記画像を撮像する撮像装置の位置とに基づいて、上記撮像装置が撮像した画像を水平方向に反転させるかを判定するステップ、上記撮像装置が撮像した画像を水平方向に選択的に反転させるステップ、をコンピュータに実行させ、上記反転させるステップでは、上記画像を水平方向に反転させると判定された場合には、上記撮像装置が撮像した画像を水平方向に反転させて、水平方向に反転させた画像を上記表示装置に表示させ、上記画像を水平方向に反転させると判定されない場合には、上記撮像装置が撮像した画像を上記表示装置に表示させる、プログラムが提供される。
【００１１】
また、本開示によれば、１または２以上の撮像を行う撮像装置と、１または２以上の画像を表示する表示装置と、上記撮像装置、および上記表示装置それぞれと通信を行う表示制御装置と、を有し、上記表示制御装置は、上記撮像装置、および上記表示装置それぞれと通信を行う通信部と、上記撮像装置、および上記表示装置それぞれの位置を特定する位置特定部と、画像を表示させる表示装置の位置と、表示させる上記画像を撮像する撮像装置の位置とに基づいて、上記撮像装置が撮像した画像を水平方向に反転させるかを判定する処理判定部と、上記撮像装置が撮像した画像を水平方向に選択的に反転させる処理部と、を備え、上記処理部は、上記画像を水平方向に反転させると判定された場合に、上記通信部が受信した、上記撮像装置から送信された画像信号が示す画像を水平方向に反転させて、水平方向に反転させた画像を示す画像信号を、上記撮像装置から送信された画像信号の送信先の表示装置へ送信させ、上記画像を水平方向に反転させると判定されない場合には、上記通信部が受信した、上記撮像装置から送信された画像信号を、上記送信先の表示装置へ送信させる、表示制御システムが提供される。
【発明の効果】
【００１２】
本開示によれば、ユーザが感じうる違和感の低減を図ることができる。
【図面の簡単な説明】
【００１３】
【図１】本実施形態に係る表示制御方法を説明するための説明図である。
【図２】本実施形態に係る表示制御方法を説明するための説明図である。
【図３】本実施形態に係る表示制御方法を説明するための説明図である。
【図４】本実施形態に係る表示制御方法を説明するための説明図である。
【図５】第１の実施形態に係る表示制御システムの構成の一例を示す説明図である。
【図６】本実施形態に係る表示制御装置における処理の一例を示す流れ図である。
【図７】本実施形態に係る表示装置における撮像装置の選択方法の一例を示す説明図である。
【図８】本実施形態に係る表示制御装置における反転判定処理の一例を示す説明図である。
【図９】本実施形態に係る表示制御装置が画像を反転させていることを表示装置のユーザに明示する方法の一例を示す説明図である。
【図１０】本実施形態に係る表示制御装置における処理の他の例を示す流れ図である。
【図１１】本実施形態に係る表示制御装置の構成の一例を示すブロック図である。
【図１２】本実施形態に係る表示制御装置のハードウェア構成の一例を示す説明図である。
【図１３】第２の実施形態に係る表示制御システムの構成の一例を示す説明図である。
【図１４】本実施形態に係る表示装置の構成の一例を示すブロック図である。
【図１５】第３の実施形態に係る表示制御システムの構成の一例を示す説明図である。
【図１６】本実施形態に係る撮像装置の構成の一例を示すブロック図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
また、以下では、下記に示す順序で説明を行う。
１．本実施形態に係る表示制御方法
２．本実施形態に係る表示制御システム
３．本実施形態に係るプログラム
【００１６】
（本実施形態に係る表示制御方法）
本実施形態に係る表示制御システムの構成について説明する前に、本実施形態に係る表示制御方法について説明する。なお、以下では、後述する第１の実施形態に係る表示制御システム１０００、第２の実施形態に係る表示制御システム２０００、第３の実施形態に係る表示制御システム３０００などの、本実施形態に係る表示制御システムを総称する場合には、符号を付さずに「表示制御システム」と示す。また、以下では、表示制御システム（より厳密には、表示制御システムを構成する装置）が、本実施形態に係る表示制御方法に係る処理を行うものとして説明する。
【００１７】
また、以下では、撮像を行うことが可能な撮像装置が撮像を行い、撮像装置により撮像された画像を示す画像信号が、有線通信および／または無線通信によって、リアルタイム（または低遅延。以下、同様とする。）に表示装置に伝送される場合を例に挙げて説明する。ここで、本実施形態に係る表示制御システムにおける画像の伝送方法としては、例えば、ラインベース・コーデックを用いる伝送が挙げられる。ここで、ラインベース・コーデックを用いる伝送とは、１ピクチャをＮ個のライン（Ｎは１以上）の集合に分割し、分割した集合（ラインブロック）ごとに画像を符号化することによって遅延時間を短くする画像圧縮方式を用いる伝送をいう。ラインベース・コーデックを用いる場合には、低遅延であるという利点の他、例えば、画像圧縮の１単位において取り扱う情報が少ないことにより、高速処理やハードウェア規模の低減が可能といった利点がある。なお、本実施形態に係る画像の伝送方式が、上記ラインベース・コーデックを用いる方式に限られないことは、言うまでもない。
【００１８】
また、本実施形態に係る画像信号としては、例えば、ＭＰＥＧ−４（ＩＳＯ／ＩＥＣ  １４４９６）の画像や、ＪＰＥＧ  ２０００の画像など、階層符号化が可能な圧縮・伸張方式を用いて符号化される画像を示す信号が挙げられる。なお、本実施形態に係る画像信号は、上記のような階層符号化が可能な圧縮・伸張方式を用いて符号化される画像を示す信号に限られない。
【００１９】
また、本実施形態に係る表示制御システムにおける通信プロトコルとしては、例えば、ＵＤＰ（User  Datagram  Protocol）などのＩＰ（Internet  Protocol）ベースの通信プロトコルが挙げられる。なお、本実施形態に係る表示制御システムにおける通信プロトコルは、上記に限られず、表示制御システムでは、任意の通信プロトコルを用いることが可能である。
【００２０】
図１、図２は、本実施形態に係る表示制御方法を説明するための説明図である。図１は、野球場において野球場のフィールド上を撮像する４台の撮像装置（撮像装置１０Ａ〜撮像装置１０Ｄ）が設置されており、撮像装置それぞれが矢印の方向に存在する対象物を撮像し、撮像された画像が表示装置に伝送される例を示している。また、図１では、表示装置を用いて撮像装置により撮像された画像をみることが可能なユーザの位置の一例として、Ｖｉｅｗ１、Ｖｉｅｗ２を示している。図２に示すＡは、図１に示すＶｉｅｗ１において表示装置の表示画面に表示される画像の一例を示しており、図２に示すＢは、図１に示すＶｉｅｗ２において表示装置の表示画面に表示される画像の一例を示している。
【００２１】
例えば、表示装置がＶｉｅｗ１の位置に存在し、表示装置の表示画面に表示される画像が撮像装置１０Ｃにより撮像されたものである場合には、ユーザが直接的にみる対象物と表示画面に表示される対象物（すなわち、ユーザが表示画面を介して間接的にみる対象物）とは、大略一致する。つまり、上記の場合には、ユーザが直接的にみる対象物と、ユーザが表示装置の表示画面に映る画像を介して間接的にみる対象物とにおける水平軸が逆転せずに一致する。よって、上記の場合には、ユーザが、直接的にみる対象物と、表示装置の表示画面に映るリアルタイムに伝送される画像を介して間接的にみる対象物との間に違和感を覚える可能性は、低い。
【００２２】
しかしながら、例えば、表示装置がＶｉｅｗ１の位置に存在し、表示装置の表示画面に表示される画像が撮像装置１０Ｂにより撮像されたものである場合には、ユーザが直接的にみる対象物と表示画面に表示される対象物とが一致しないことが起こりうる。つまり、上記の場合には、ユーザが直接的にみる対象物と、ユーザが表示装置の表示画面に映る画像を介して間接的にみる対象物とにおける水平軸が逆転する恐れがある。ここで、ユーザが直接的にみる対象物における水平軸と、ユーザが表示装置の表示画面に映る画像を介して間接的にみる対象物とにおける水平軸とが逆転した場合には、水平軸の逆転が違和感としてユーザに認識される可能性が高い。よって、上記の場合には、ユーザが、直接的に対象物をみる場合と、表示装置の表示画面に映るリアルタイムに伝送される画像を介して間接的に対象物をみる場合との間に違和感を覚える恐れがある。
【００２３】
なお、ユーザが違和感を覚える恐れがある状況は、図１に示すような野球場のフィールドを撮像装置により撮像する場合に限られない。図３、図４は、本実施形態に係る表示制御方法を説明するための説明図である。図３は、サッカー場においてサッカー場のフィールド上を撮像する４台の撮像装置（撮像装置１０Ａ〜撮像装置１０Ｄ）が設置されており、撮像装置それぞれが矢印の方向に存在する対象物を撮像し、撮像された画像が表示装置に伝送される例を示している。また、図３では、表示装置を用いて撮像装置により撮像された画像をみることが可能なユーザの位置の一例として、Ｖｉｅｗ１〜Ｖｉｅｗ４を示している。図４に示すＡは、図３に示すＶｉｅｗ１において表示装置の表示画面に表示される画像の一例を示しており、図４に示すＢは、図３に示すＶｉｅｗ３において表示装置の表示画面に表示される画像の一例を示している。
【００２４】
例えば、表示装置がＶｉｅｗ１またはＶｉｅｗ２の位置に存在し、表示装置の表示画面に表示される画像が、フィールド中央部分に存在する対象物が撮像装置１０Ｃにより撮像されたものである場合には、ユーザが直接的にみる対象物と表示画面に表示される対象物（すなわち、ユーザが表示画面を介して間接的にみる対象物）とは、大略一致する。上記の場合には、ユーザが直接的にみる対象物と、ユーザが表示装置の表示画面に映る画像を介して間接的にみる対象物とにおける水平軸が逆転せずに一致する。よって、上記の場合には、ユーザが、直接的にみる対象物と、表示装置の表示画面に映るリアルタイムに伝送される画像を介して間接的にみる対象物との間に違和感を覚える可能性は、低い。
【００２５】
また、例えば、表示装置がＶｉｅｗ１またはＶｉｅｗ２の位置に存在し、表示装置の表示画面に表示される画像が、フィールド中央部分に存在する対象物が撮像装置１０Ｄにより撮像されたものである場合には、図１の場合と同様に、ユーザが直接的にみる対象物と、ユーザが表示装置の表示画面に映る画像を介して間接的にみる対象物とにおける水平軸が逆転することが起こりうる。よって、上記の場合には、ユーザが、直接的に対象物をみる場合と、表示装置の表示画面に映るリアルタイムに伝送される画像を介して間接的に対象物をみる場合との間に違和感を覚える恐れがある。
【００２６】
また、例えば、表示装置がＶｉｅｗ１またはＶｉｅｗ２の位置に存在するときに、ユーザが、表示画面に表示させる画像を撮像する撮像装置を、撮像装置１０Ｃから撮像装置１０Ａまたは撮像装置１０Ｂに切り替えた場合には、表示装置の位置、撮像される対象物、および撮像装置の間の位置関係が変化する。そのため、切り替え後の上記位置関係によっては、ユーザが直接的にみる対象物と、ユーザが表示装置の表示画面に映る画像を介して間接的にみる対象物とにおける水平軸が逆転する可能性がある。よって、切り替え後の上記位置関係によっては、ユーザが、直接的に対象物をみる場合と、表示装置の表示画面に映るリアルタイムに伝送される画像を介して間接的に対象物をみる場合との間に違和感を覚える恐れがある。
【００２７】
上記のように、撮像装置が撮像を行い、撮像装置により撮像された画像を示す画像信号が、有線通信および／または無線通信によって、リアルタイムに表示装置に伝送される場合には、ユーザが、直接的にみる対象物と、表示装置の表示画面に映るリアルタイムに伝送される画像を介して間接的にみる対象物との間に違和感を覚える恐れがある。
【００２８】
そこで、本実施形態に係る表示制御システムでは、表示制御システムを構成する表示制御装置（以下、「表示制御装置１００」と示す場合がある。）が、画像を表示する表示装置の位置と、当該表示装置に表示させる画像を撮像する撮像装置の位置とに基づいて、当該撮像装置が撮像した画像を水平方向に選択的に反転させる。そして、表示制御装置１００は、画像を水平方向に反転させた場合には、反転させた画像を表示装置に表示させ、また、画像を水平方向に反転させなかった場合には、撮像装置が撮像した画像を表示装置に表示させる。
【００２９】
ここで、本実施形態に係る画像を水平方向に反転させる処理とは、画像の鏡像を生成する処理に該当する。表示制御装置１００は、画像の鏡像を生成することが可能な任意の方法を用いて、画像を水平方向に反転させる。以下では、画像を水平方向に反転させることを、「鏡像反転」と示す場合がある。
【００３０】
表示制御システムでは、表示制御装置１００が、表示装置の位置と撮像装置の位置とに基づいて、当該撮像装置が撮像した画像を水平方向に選択的に反転させ、反転させた画像または撮像装置が撮像した画像のいずれかを表示装置に表示させる。より具体的には、表示制御システムでは、表示制御装置１００が撮像装置が撮像した画像を水平方向に選択的に反転させることによって、ユーザが直接的にみる対象物における水平軸と、ユーザが表示装置の表示画面に映る画像を介して間接的にみる対象物における水平軸とを一致させる。したがって、表示制御システムでは、ユーザが感じうる違和感の低減を図ることができる。
【００３１】
以下、本実施形態に係る表示制御システムの構成の一例について説明をすると共に、本実施形態に係る表示制御方法に係る処理の具体例についても併せて説明する。
【００３２】
（本実施形態に係る表示制御システム）
（１）第１の実施形態に係る表示制御システム
図５は、第１の実施形態に係る表示制御システム１０００の構成の一例を示す説明図である。表示制御システム１０００は、表示制御装置１００と、撮像装置１０Ａ〜１０Ｄと、表示装置２０Ａ〜２０Ｃとを有する。また、表示制御装置１００と撮像装置１０Ａ〜１０Ｄそれぞれとは、ネットワーク５００で接続され、また、表示制御装置１００と表示装置２０Ａ〜２０Ｃそれぞれとは、ネットワーク６００で接続される。
【００３３】
ここで、本実施形態に係る接続とは、例えば、通信可能な状態にある（または、通信可能な状態にさせる）ことをいう。また、ネットワーク５００、６００としては、例えば、ＬＡＮ（Local  Area  Network）やＷＡＮ（Wide  Area  Network）などの有線ネットワーク、無線ＬＡＮ（ＷＬＡＮ；Wireless  Local  Area  Network）や基地局を介した無線ＷＡＮ（ＷＷＡＮ；Wireless  Wide  Area  Network）、無線ＭＡＮ（ＷＭＡＮ；Wireless  Metropolitan  Area  Network）などの無線ネットワーク、あるいは、ＴＣＰ／ＩＰ（Transmission  Control  Protocol/Internet  Protocol）などの通信プロトコルを用いたインターネットなどが挙げられる。なお、ネットワーク５００と、ネットワーク６００とは、同種のネットワークであってもよいし、異種のネットワークであってもよい。
【００３４】
なお、図５では、表示制御システム１０００が４つの撮像装置１０Ａ〜１０Ｄを有する構成を示しているが、第１の実施形態に係る表示制御システム１０００の構成は、上記に限られない。例えば、第１の実施形態に係る表示制御システム１０００は、１または２以上の撮像装置（以下、総称して「撮像装置１０」と示す場合がある。）を有していてもよい。また、図５では、表示制御システム１０００が３つの表示装置２０Ａ〜２０Ｃを有する構成を示しているが、第１の実施形態に係る表示制御システム１０００の構成は、上記に限られない。例えば、第１の実施形態に係る表示制御システム１０００は、１または２以上の表示装置（以下、総称して「表示装置２０」と示す場合がある。）を有していてもよい。
【００３５】
［表示制御装置１００］
表示制御装置１００は、撮像装置１０と表示装置２０との間の通信を中継し、表示装置２０における撮像装置１０において撮像された画像の表示を制御する役目を果たす。
【００３６】
より具体的には、表示制御装置１００は、画像を表示する表示装置２０の位置と、当該表示装置２０に表示させる画像を撮像する撮像装置１０の位置とに基づいて、当該撮像装置１０から送信される画像信号が示す画像を水平方向に選択的に反転させる。そして、表示制御装置１００は、画像を水平方向に反転させた場合には、反転させた画像を示す画像信号を、撮像装置１０から送信される画像信号の送信先の表示装置２０へ送信する。また、表示制御装置１００は、画像を水平方向に反転させない場合には、撮像装置１０から送信される画像信号を、上記送信先の表示装置２０へ送信する。
【００３７】
ここで、表示制御装置１００は、例えば、撮像装置１０から送信されるパケットデータのヘッダに含まれる通信経路の制御に関する経路制御情報を参照することによって、当該パケットデータの送信先の表示装置２０を特定する。例えば、上記パケットデータが、ＩＰプロトコルに基づくＩＰパケットである場合には、表示制御装置１００は、ヘッダに含まれる宛先ＩＰアドレス（送信先のＩＰアドレス）を参照することにより、送信先の表示装置２０を特定する。なお、表示制御装置１００における送信先の表示装置２０の特定方法が、上記に限られないことは、言うまでもない。
【００３８】
図６は、本実施形態に係る表示制御装置１００における処理の一例を示す流れ図である。
【００３９】
表示制御装置１００は、表示装置２０の位置を特定する（Ｓ１００）。表示制御装置１００は、例えば、表示装置２０から送信される、装置の位置を示す位置情報に基づいて、表示装置２０の位置を特定する。ここで、本実施形態に係る位置情報としては、例えば、ＩＰアドレスや、緯度および経度を示す座標データ、ＳＳＩＤ（Service  Set  IDentifier）、電話番号などが挙げられる。
【００４０】
表示制御装置１００は、例えば、位置情報の送信をさせるための位置情報送信要求を表示装置２０に対して送信することによって、表示装置２０に対応する位置情報を取得するが、表示装置２０に対応する位置情報の取得方法は、上記に限られない。例えば、表示制御装置１００は、表示装置２０から定期的／非定期的に送信される位置情報を受信することによって、表示装置２０に対応する位置情報を取得してもよい。
【００４１】
また、表示制御装置１００は、例えば、表示装置２０から取得した位置情報が座標データである場合には、当該座標データが示す座標を表示装置２０の位置として特定する。なお、本実施形態に係る位置の特定方法は、座標データが示す座標を用いることに限られない。
【００４２】
例えば、表示装置２０から取得した位置情報がＩＰアドレスを示す場合には、表示制御装置１００は、ＩＰアドレスと位置とが対応付けられたデータベースを用いることによって、位置情報が示すＩＰアドレスに対応する位置を特定する。ここで、表示制御装置１００は、例えば、表示制御装置１００が備える記憶部（後述する）などに記憶されている上記データベースを参照することにより、位置情報が示すＩＰアドレスに対応する位置を特定するが、上記データベースを用いた位置の特定方法は、上記に限られない。例えば、表示制御装置１００は、上記データベースを記憶するサーバなどの外部装置に対して位置情報が示すＩＰアドレスを送信し、当該ＩＰアドレスに対応する位置を当該外部装置から取得することによって、位置情報が示すＩＰアドレスに対応する位置を特定してもよい。
【００４３】
また、例えば、表示制御装置１００と表示装置２０とが無線ＬＡＮにより通信を行うときにおいて、表示装置２０から取得した位置情報がＳＳＩＤやＭＡＣアドレス（Media  Access  Control  address）などを示す場合には、表示制御装置１００は、ＳＳＩＤなどと位置とが対応付けられたデータベースを用いることによって、位置情報が示すＳＳＩＤなどに対応する位置を特定する。ここで、ＳＳＩＤなどと位置とが対応付けられたデータベースは、上記ＩＰアドレスと位置とが対応付けられたデータベースと同様に、表示制御装置１００が備える記憶部（後述する）などに記憶されていてもよいし、サーバなどの外部装置に記憶されていてもよい。
【００４４】
表示制御装置１００は、ステップＳ１００において、例えば表示装置２０から取得した位置情報を用いた上記のような処理を行うことによって、表示装置２０の位置を特定する。なお、本実施形態に係る表示制御装置１００におけるステップＳ１００の処理は、上記に限られない。例えば、表示制御装置１００は、記憶部（図示せず）などに予め記憶されている位置情報を用いて表示装置２０の位置を特定することも可能である。
【００４５】
表示制御装置１００は、撮像装置１０の位置を特定する（Ｓ１０２）。ここで、表示制御装置１００は、ステップＳ１００と同様に、例えば撮像装置１０から取得した位置情報を用いて撮像装置１０の位置を特定する。なお、本実施形態に係る表示制御装置１００におけるステップＳ１０２の処理は、上記に限られない。例えば、表示制御装置１００は、記憶部（図示せず）などに予め記憶されている位置情報を用いて撮像装置１０の位置を特定することも可能である。
【００４６】
なお、図６では、表示制御装置１００が、ステップＳ１００の処理の後にステップＳ１０２の処理を行う例を示しているが、表示制御装置１００における処理は、上記に限られない。例えば、ステップＳ１００の処理とステップＳ１０２の処理とは独立して行うことが可能であるので、表示制御装置１００は、ステップＳ１０２の処理の後にステップＳ１００の処理を行ってもよく、また、ステップＳ１００の処理とステップＳ１０２の処理とを同期して行ってもよい。
【００４７】
ステップＳ１００、Ｓ１０２の処理が行われると、表示制御装置１００は、表示装置２０において表示画面に表示する画像を撮像する撮像装置１０が選択されたか否かを判定する（Ｓ１０４）。表示制御装置１００は、例えば、表示装置２０から送信された、特定の撮像装置１０を示す選択信号を受信した場合に、撮像装置１０が選択されたと判定する。
【００４８】
図７は、本実施形態に係る表示装置２０における撮像装置１０の選択方法の一例を示す説明図である。ここで、図７は、表示装置２０の表示画面に表示される画像の一例を示している。
【００４９】
表示装置２０のユーザは、例えば表示装置２０が備えるボタンなどの操作デバイスや、リモートコントローラなどの外部操作デバイスを用いて、図７に示すいずれか一つの撮像装置１０を選択する。そして、表示装置２０は、ユーザによる撮像装置１０を選択する選択操作に基づき、上記選択信号を表示制御装置１００へ送信する。なお、ユーザに撮像装置１０を選択させるために表示装置２０の表示画面に表示される画像が、図７に示す画像に限られないことは、言うまでもない。
【００５０】
再度図６を参照して、表示制御装置１００における処理の一例について説明する。ステップＳ１０４において撮像装置１０が選択されたと判定されない場合には、表示制御装置１００は、後述するステップＳ１２０の処理を行う。
【００５１】
また、ステップＳ１０４において撮像装置１０が選択されたと判定された場合には、表示制御装置１００は、選択された撮像装置１０から送信される画像信号が示す画像を水平方向に反転させるか否かに係る、反転判定処理を行う（Ｓ１０６）。
【００５２】
表示制御装置１００は、ステップＳ１００において特定された表示装置２０の位置と、ステップＳ１０２において特定された撮像装置１０の位置とに基づいて、画像を水平方向に反転させるか否かを判定する。
【００５３】
図８は、本実施形態に係る表示制御装置１００における反転判定処理の一例を示す説明図である。ここで、図８は、表示装置２０の位置（図８に示すＡ）と、現在表示装置２０の表示画面に表示されている画像の送信元の撮像装置１０を示す情報（図８に示すＢ）と、選択された撮像装置１０の情報（図８に示すＣ）とによって、反転を行うか否かを判定する判定条件の一例を示している。また、図８は、例えば図３に示す、サッカー場においてサッカー場のフィールド上を撮像する４台の撮像装置（撮像装置１０Ａ〜撮像装置１０Ｄ）が設置されている場合における判定条件の一例を示している。
【００５４】
ここで、表示制御装置１００は、例えばステップＳ１００において特定された表示装置２０の位置を図８のＡに示す条件として用いる。また、表示制御装置１００は、例えば、画像処理の結果や、撮像装置１０から送信される雲台の制御状態を示す雲台制御情報が示す撮像状態を、図８のＢに示す条件として用いる。また、表示制御装置１００は、例えばステップＳ１０２において特定された撮像装置１０の位置を図８のＣに示す条件として用いる。
【００５５】
例えば図８に示す判定条件を用いることによって、表示制御装置１００は、画像を水平方向に反転させるか否かを判定する。なお、本実施形態に係る判定条件は、図８に示すものに限られない。例えば、表示制御装置１００は、図８に示すＡおよびＣによって、反転を行うか否かを判定することも可能である。
【００５６】
再度図６を参照して、表示制御装置１００における処理の一例について説明する。ステップＳ１０６の処理が行われると、表示制御装置１００は、ステップＳ１０６における判定結果に基づいて、画像を水平方向に反転させるか否か（画像を左右反転させるか否か）を判定する（Ｓ１０８）。
【００５７】
ステップＳ１０８において画像を水平方向に反転させると判定されない場合には、表示制御装置１００は、選択された撮像装置１０から送信される画像信号を、当該撮像装置１０を選択した表示装置２０（送信先の表示装置２０に該当）へ送信し、当該表示装置２０に画像を表示させる（Ｓ１１０）。そして、表示制御装置１００は、後述するステップＳ１２０の処理を行う。なお、図６では示していないが、表示制御装置１００は、例えば、表示を停止する要求が表示装置２０からあるまで、または、再度行われたステップＳ１０８の処理において画像を水平方向に反転させると判定されるまで、ステップＳ１１０の処理を継続する。
【００５８】
また、ステップＳ１０８において画像を水平方向に反転させると判定された場合には、表示制御装置１００は、選択された撮像装置１０から送信される画像信号が示す画像を水平方向に反転させる反転処理を行う（Ｓ１１２）。
【００５９】
ステップＳ１１２において反転処理が行われると、表示制御装置１００は、画像を反転させていることを表示装置２０のユーザに明示するか否かを判定する（Ｓ１１４）。ここで、表示制御装置１００は、例えば、表示装置２０から送信される、画像を反転した場合に反転させていることを明示するか否かを示す表示設定情報に基づいて、ステップＳ１１４の処理を行う。表示制御装置１００は、例えば、表示制御装置１００がステップＳ１１２の処理を開始したときに表示設定情報の送信を要求する表示設定情報送信要求を表示装置２０へ送信することによって、表示装置２０から上記表示設定情報を取得するが、表示設定情報の取得方法は、上記に限られない。例えば、表示制御装置１００は、上記表示設定情報送信要求によらずに、表示装置２０のユーザのユーザ操作に基づいて表示装置２０から送信された表示設定情報を記憶部（図示せず）などに記憶し、記憶部（図示せず）などに記憶されている表示設定情報を用いてステップＳ１１４の処理を行ってもよい。
【００６０】
図９は、本実施形態に係る表示制御装置１００が画像を反転させていることを表示装置２０のユーザに明示する方法の一例を示す説明図である。ここで、図９は、表示装置２０の表示画面に表示される画像の一例を示している。
【００６１】
図９のＡに示すように、表示制御装置１００は、例えばステップＳ１１２の処理において水平方向に反転させた画像に、反転画像であるコメントを合成することによって、画像を反転させていることをユーザに明示する。
【００６２】
なお、本実施形態に係る画像を反転させていることを表示装置２０のユーザに明示する方法は、図９に示すように反転画像であるコメントを合成する方法に限られない。また、表示制御装置１００は、例えば図９に示すように、画像を反転させていることを表示装置２０のユーザに視覚的に通知することに限られず、例えば、画像を反転させていることを示す音声などによって聴覚的に通知することも可能である。以下では、本実施形態に係る表示制御装置１００が、図９に示すように、水平方向に反転させた画像に反転画像であるコメントを合成する場合を例に挙げて説明する。
【００６３】
再度図６を参照して、表示制御装置１００における処理の一例について説明する。ステップＳ１１４において画像を反転させていることを表示装置２０のユーザに明示すると判定されない場合には、表示制御装置１００は、後述するステップＳ１１８の処理を行う。
【００６４】
また、ステップＳ１１４において画像を反転させていることを表示装置２０のユーザに明示すると判定された場合には、表示制御装置１００は、ステップＳ１１２において水平方向に反転させた画像に反転画像であるコメントを合成する（Ｓ１１６）。
【００６５】
ステップＳ１１４において画像を反転させていることを表示装置２０のユーザに明示すると判定されない場合、または、ステップＳ１１６の処理が行われると、表示制御装置１００は、反転させた画像を示す画像信号を、撮像装置１０を選択した表示装置２０（送信先の表示装置２０に該当）へ送信し、当該表示装置２０に画像を表示させる（Ｓ１１８）。なお、図６では示していないが、表示制御装置１００は、例えば、表示を停止する要求が表示装置２０からあるまで、または、再度行われたステップＳ１０８の処理において画像を水平方向に反転させると判定されないまで、ステップＳ１１８の処理を継続する。
【００６６】
ステップＳ１０４において撮像装置１０が選択されたと判定されない場合、または、ステップＳ１１０の処理またはステップ１１８の処理が行われると、表示制御装置１００は、表示制御に係る処理を終了するか否かを判定する（Ｓ１２０）。ここで、表示制御装置１００は、例えば、操作部（後述する）から伝達される、処理の終了を示す所定の操作信号や、リモート・コントローラなどの外部操作装置から送信される処理の終了を示す所定の外部操作信号が検出された場合に、表示制御に係る処理を終了すると判定する。
【００６７】
ステップＳ１２０において表示制御に係る処理を終了すると判定された場合には、表示制御装置１００は、表示制御に係る処理を終了する。また、ステップＳ１２０において表示制御に係る処理を終了すると判定されない場合には、表示制御装置１００は、ステップＳ１００からの処理を繰り返す。
【００６８】
表示制御装置１００は、例えば図６に示す処理を行うことによって、表示装置２０における表示を制御する。
【００６９】
例えば図６に示すように、表示制御装置１００が、（Ａ）撮像装置および表示装置それぞれの位置を特定する処理（例えば図６のステップＳ１００、Ｓ１０２に相当）、（Ｂ）画像を水平方向に反転させるかを判定する処理（例えば図６のステップＳ１０４〜Ｓ１０８の処理に相当）、および（Ｃ）画像を水平方向に選択的に反転させ、選択的に反転された画像を表示装置に表示させる処理（例えば図６のステップＳ１１０〜Ｓ１１８に相当）を行うことによって、ユーザが直接的にみる対象物における水平軸と、ユーザが表示装置の表示画面に映る画像を介して間接的にみる対象物における水平軸とを一致させることができる。よって、表示制御装置１００が上記（Ａ）の処理〜（Ｃ）の処理を行うことによって、表示制御システム１０００では、上述した本実施形態に係る表示制御方法が実現される。
【００７０】
したがって、表示制御装置１００は、例えば図６に示す処理を行うことによって、ユーザが感じうる違和感の低減を図ることができる。
【００７１】
なお、本実施形態に係る表示制御装置１００における処理は、図６に示す処理に限られない。例えば、撮像装置１０が撮像した画像と対応する音声（例えば、撮像装置１０が備える集音デバイスまたは撮像装置１０と接続された集音装置が集音した音声）が存在する場合には、表示制御装置１００は、画像の反転と同期して、当該音声を示す音声信号のチャネルを選択的に左右反転させることも可能である。そこで、次に、本実施形態に係る表示制御装置１００における処理の他の例として、音声を示す音声信号のチャネルを選択的に左右反転させる処理について説明する。
【００７２】
ここで、本実施形態に係る処理対象の音声信号としては、例えば、２チャネルを有するステレオ音声を示す音声信号が挙げられるが、本実施形態に係る処理対象の音声信号は、上記に限られない。例えば、本実施形態に係る音声信号は、３以上の複数チャネルの音声信号であってもよい。上記のように３以上の複数チャネルの音声信号を処理対象とする場合、表示制御装置１００は、例えば、左に対応するチャネルの音声信号と、右に対応するチャネルの音声信号とを選択的に反転させる。また、左右の観点で対応するチャネルの組が複数ある場合には、表示制御装置１００は、これらの組をそれぞれ選択的に反転させる対象としてもよい。さらに、例えば音声信号が奇数チャネルからなる音声信号である場合など、組となるチャネルがない場合には、表示制御装置１００は、例えば、組となるチャネルがないチャネルの音声信号については、反転対象とせずにそのまま出力する。
【００７３】
以下では、複数チャネルの音声信号のうち、選択的に反転させる対象となる一のチャネルの音声信号を「第１チャネルの音声信号」と示し、また、当該一のチャネルの音声信号と組となり、選択的に反転させる対象となる他のチャネルの音声信号を「第２チャネルの音声信号」と示す。
【００７４】
図１０は、本実施形態に係る表示制御装置１００の処理の他の例を示す流れ図である。
【００７５】
表示制御装置１００は、図６に示すステップＳ１００と同様に、表示装置２０の位置を特定する（Ｓ２００）。なお、表示制御装置１００は、図６に示すステップＳ１００の処理の結果を用いることにより、表示装置２０の位置を特定してもよい。
【００７６】
また、表示制御装置１００は、図６に示すステップＳ１０２と同様に、撮像装置１０の位置を特定する（Ｓ２０２）。なお、表示制御装置１００は、図６に示すステップＳ１０２の処理の結果を用いることにより、撮像装置１０の位置を特定してもよい。
【００７７】
なお、図１０では、表示制御装置１００が、ステップＳ２００の処理の後にステップＳ２０２の処理を行う例を示しているが、表示制御装置１００における処理は、上記に限られない。例えば、表示制御装置１００は、図６に示す処理と同様に、ステップＳ２０２の処理の後にステップＳ２００の処理を行ってもよく、また、ステップＳ２００の処理とステップＳ２０２の処理とを同期して行ってもよい。
【００７８】
ステップＳ２００、Ｓ２０２の処理が行われると、表示制御装置１００は、図６に示すステップＳ１０４と同様に、表示装置２０において表示画面に表示する画像を撮像する撮像装置１０が選択されたか否かを判定する（Ｓ２０４）。なお、表示制御装置１００は、図６に示すステップＳ１０４の処理の結果を用いることにより、撮像装置１０が選択されたか否かを判定してもよい。
【００７９】
ステップＳ２０４において撮像装置１０が選択されたと判定されない場合には、表示制御装置１００は、後述するステップＳ２２０の処理を行う。
【００８０】
また、ステップＳ２０４において撮像装置１０が選択されたと判定された場合には、表示制御装置１００は、選択された撮像装置１０から送信される画像信号に対応する音声信号のチャネルを左右反転させるか否かに係る、反転判定処理を行う（Ｓ２０６）。ここで、表示制御装置１００は、例えば図６に示すステップＳ１０６と同様の処理を行うことによって、ステップＳ２０６の処理を行う。なお、表示制御装置１００は、図６に示すステップＳ１０６における判定結果を用いる場合には、ステップＳ２０６の処理を行わないことも可能である。ステップＳ２０６の処理を行わない場合には、表示制御装置１００は、図６に示すステップＳ１０６における判定結果を用いて後述するステップＳ２０８の処理を行う。
【００８１】
ステップＳ２０６の処理が行われると、表示制御装置１００は、ステップＳ２０６における判定結果（または、図６に示すステップＳ１０６における判定結果）に基づいて、画像信号に対応する音声信号のチャネルを左右反転させるか否か（音声を左右反転させるか否か）を判定する（Ｓ２０８）。
【００８２】
ステップＳ２０８において音声信号のチャネルを左右反転させると判定されない場合には、表示制御装置１００は、選択された撮像装置１０から送信される画像信号に対応する音声信号を、当該撮像装置１０を選択した表示装置２０（送信先の表示装置２０に該当）へ送信し、当該表示装置２０に音声を再生させる（Ｓ２１０）。そして、表示制御装置１００は、後述するステップＳ２２０の処理を行う。なお、図１０では示していないが、表示制御装置１００は、例えば、表示を停止する要求が表示装置２０からあるまで、または、再度行われたステップＳ２０８の処理において音声を左右反転させると判定されるまで、ステップＳ２１０の処理を継続する。
【００８３】
また、ステップＳ２０８において音声信号のチャネルを左右反転させると判定されない場合には、表示制御装置１００は、選択された撮像装置１０から送信される画像信号に対応する音声信号における、第１チャネルの音声信号と第２チャネルの音声信号とを反転させる反転処理を行う（Ｓ２１２）。
【００８４】
ステップＳ２１２において反転処理が行われると、表示制御装置１００は、例えば図６に示すステップＳ１１４と同様に、音声を左右反転させていることを表示装置２０のユーザに明示するか否かを判定する（Ｓ２１４）。なお、表示制御装置１００は、図６に示すステップＳ１１４の処理の結果を用いることにより、音声を左右反転させていることを表示装置２０のユーザに明示するか否かを判定してもよい。また、表示制御装置１００は、例えば図９に示す例と同様に、音声が左右反転していることを示すコメントを合成することによって、音声を左右反転させていることをユーザに明示するが、音声を左右反転させていることをユーザに通知する方法は、上記に限られない。
【００８５】
ステップＳ２１４において音声を左右反転させていることを表示装置２０のユーザに明示すると判定されない場合には、表示制御装置１００は、後述するステップＳ２１８の処理を行う。
【００８６】
また、ステップＳ２１４において音声を左右反転させていることを表示装置２０のユーザに明示すると判定された場合には、表示制御装置１００は、図６に示すステップＳ１１２において水平方向に反転させた画像に、音声が左右反転されていることを示すコメントを合成する（Ｓ２１６）
【００８７】
ステップＳ２１４において音声が左右反転されていることを表示装置２０のユーザに明示すると判定されない場合、または、ステップＳ２１６の処理が行われると、表示制御装置１００は、ステップＳ２１２において第１チャネルの音声信号と第２チャネルの音声信号とを反転させた音声信号を、撮像装置１０を選択した表示装置２０（送信先の表示装置２０に該当）へ送信し、当該表示装置２０に音声を再生させる（Ｓ２１８）。なお、図１０では示していないが、表示制御装置１００は、例えば、表示を停止する要求が表示装置２０からあるまで、または、再度行われたステップＳ２０８の処理において音声を左右反転させると判定されるまで、ステップＳ２１８の処理を継続する。
【００８８】
ステップＳ２０４において撮像装置１０が選択されたと判定されない場合、または、ステップＳ２１０の処理またはステップ２１８の処理が行われると、表示制御装置１００は、図６に示すステップＳ１２０と同様に、表示制御に係る処理を終了するか否かを判定する（Ｓ２２０）。
【００８９】
ステップＳ２２０において表示制御に係る処理を終了すると判定された場合には、表示制御装置１００は、表示制御に係る処理を終了する。また、ステップＳ２２０において表示制御に係る処理を終了すると判定されない場合には、表示制御装置１００は、ステップＳ２００からの処理を繰り返す。
【００９０】
表示制御装置１００は、例えば図１０に示す処理を行うことによって、表示装置２０における音声の再生を制御し、図６に示す処理により実現される画像の反転と同期して、音声信号のチャネルを選択的に左右反転させることができる。ここで、画像の反転と対応するように、音声信号のチャネルを選択的に左右反転させることによって、水平方向に反転された画像と、当該画像に対応する音声との間に、水平軸方向の不一致は生じない。したがって、表示制御装置１００は、例えば図６に示す処理に加え、さらに図１０に示す処理を行うことによって、ユーザが感じうる違和感の低減を図ることができる。
【００９１】
本実施形態に係る表示制御装置１００は、例えば、図６や、図６および図１０に示す、本実施形態に係る表示制御方法に係る処理を行うことによって、ユーザが感じうる違和感の低減を図る。
【００９２】
なお、本実施形態に係る表示制御方法に係る処理は、図６や図１０に示す処理に限られない。例えば、図６ではステップＳ１０６の処理結果に基づき画像を反転させるか否かを判定し、また、図１０ではステップＳ２０６の処理結果に基づき音声を反転させるか否かを判定しているが、表示制御装置１００は、画像や音声の反転を行うか否かを示す処理実行設定情報に基づいて、画像や音声の反転を行うか否かを判定してもよい。ここで、表示制御装置１００は、例えば、処理実行設定情報の送信を要求する処理実行設定情報送信要求を表示装置２０へ送信することによって、表示装置２０から上記処理実行設定情報を取得するが、処理実行設定情報の取得方法は、上記に限られない。例えば、表示制御装置１００は、上記処理実行設定情報送信要求によらずに、表示装置２０のユーザのユーザ操作に基づいて表示装置２０から送信された処理実行設定情報を記憶部（図示せず）などに記憶し、記憶部（図示せず）などに記憶されている処理実行設定情報を用いてもよい。
【００９３】
次に、上述した本実施形態に係る表示制御方法に係る処理を行うことが可能な、本実施形態に係る表示制御装置１００の構成について説明する。
【００９４】
〔表示制御装置１００の構成の一例〕
図１１は、本実施形態に係る表示制御装置１００の構成の一例を示すブロック図である。表示制御装置１００は、例えば、通信部１０２と、制御部１０４とを備える。
【００９５】
また、表示制御装置１００は、例えば、ＲＯＭ（Read  Only  Memory。図示せず）や、ＲＡＭ（Random  Access  Memory；図示せず）、記憶部（図示せず）、表示制御装置１００のユーザが操作可能な操作部（図示せず）、様々な画面を表示画面に表示する表示部（図示せず）などを備えていてもよい。表示制御装置１００は、例えば、データの伝送路としてのバス（bus）により上記各構成要素間を接続する。
【００９６】
ＲＯＭ（図示せず）は、制御部１０４が使用するプログラムや演算パラメータなどの制御用データを記憶する。ＲＡＭ（図示せず）は、制御部１０４により実行されるプログラムなどを一時的に記憶する。記憶部（図示せず）は、表示制御装置１００が備える記憶手段である。ここで、記憶部（図示せず）としては、例えば、後述する記録媒体が挙げられる。また、操作部（図示せず）としては、例えば後述する操作デバイスが挙げられ、表示部（図示せず）としては、例えば後述する表示デバイスが挙げられる。
【００９７】
＜表示制御装置１００のハードウェア構成例＞
図１２は、本実施形態に係る表示制御装置１００のハードウェア構成の一例を示す説明図である。表示制御装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４とを備える。また、表示制御装置１００は、例えば、データの伝送路としてのバス１６６で各構成要素間を接続する。
【００９８】
ＭＰＵ１５０は、ＭＰＵ（Micro  Processing  Unit）や制御機能を実現するための各種回路が集積された集積回路などで構成され、表示制御装置１００全体を制御する制御部１０４として機能する。また、ＭＰＵ１５０は、表示制御装置１００において、後述する位置特定部１１０、処理判定部１１２、および処理部１１４としての役目を果たすこともできる。
【００９９】
ＲＯＭ１５２は、例えばＭＰＵ１５０が使用するプログラムや演算パラメータなどの制御用データを記憶し、また、ＲＡＭ１５４は、例えばＭＰＵ１５０により実行されるプログラムなどを一次的に記憶する。
【０１００】
記録媒体１５６は、表示制御装置１００における記憶手段であり、記憶部（図示せず）として機能する。記録媒体１５６には、例えば、ＩＰアドレスと位置とが対応付けられたデータベースなどの各種データベースや、アプリケーションなどが記憶される。ここで、記録媒体１５６としては、例えば、ハードディスク（Hard  Disk）などの磁気記録媒体や、フラッシュメモリ（flash  memory）、ＭＲＡＭ（Magnetoresistive  Random  Access  Memory）、ＦｅＲＡＭ（Ferroelectric  Random  Access  Memory）などの不揮発性メモリ（nonvolatile  memory）が挙げられる。また、記録媒体１５６は、表示制御装置１００から着脱可能であってもよい。
【０１０１】
入出力インタフェース１５８は、例えば、操作入力デバイス１６０や、表示デバイス１６２を接続する。操作入力デバイス１６０は、操作部（図示せず）として機能し、また、表示デバイス１６２は、表示部（図示せず）として機能する。ここで、入出力インタフェース１６０としては、例えば、ＵＳＢ（Universal  Serial  Bus）端子や、ＤＶＩ（Digital  Visual  Interface）端子、ＨＤＭＩ（High-Definition  Multimedia  Interface）端子、各種処理回路などが挙げられる。また、操作入力デバイス１６０は、例えば、表示制御装置１００上に備えられ、表示制御装置１００の内部で入出力インタフェース１５８と接続される。操作入力デバイス１６０としては、例えば、ボタン、方向キー、ジョグダイヤルなどの回転型セレクター、あるいは、これらの組み合わせなどが挙げられる。また、表示デバイス１６２は、例えば、表示制御装置１００上に備えられ、表示制御装置１００の内部で入出力インタフェース１５８と接続される。表示デバイス１６２としては、例えば、液晶ディスプレイ（Liquid  Crystal  Display；ＬＣＤ）や有機ＥＬディスプレイ（organic  ElectroLuminescence  display。または、ＯＬＥＤディスプレイ（Organic  Light  Emitting  Diode  display）ともよばれる。）などが挙げられる。なお、入出力インタフェース１５８が、表示制御装置１００の外部装置としての操作入力デバイス（例えば、キーボードやマウスなど）や表示デバイス（例えば、外部ディスプレイなど）と接続することも可能であることは、言うまでもない。また、表示デバイス１６２は、例えばタッチスクリーンなどのように、表示とユーザ操作とが可能なデバイスであってもよい。
【０１０２】
通信インタフェース１６６は、表示制御装置１００が備える通信手段であり、ネットワーク５００、６００を介して（あるいは、直接的に）外部装置と無線で通信を行うための通信部１０２として機能する。ここで、通信インタフェース１６６としては、例えば、ＩＥＥＥ８０２．１１ｎポートおよび送受信回路や、通信アンテナおよびＲＦ（Radio  Frequency）回路などが挙げられる。なお、本実施形態に係る通信インタフェース１６６は、上記に限られない。例えば、通信インタフェース１６６としては、ネットワーク５００、６００と対応する通信デバイスが挙げられる。
【０１０３】
表示制御装置１００は、例えば図１２に示す構成によって、上述した本実施形態に係る表示制御方法に係る処理（例えば、上記（Ａ）の処理（撮像装置および表示装置それぞれの位置を特定する処理）〜（Ｃ）の処理（画像を水平方向に選択的に反転させ、選択的に反転された画像を表示装置に表示させる処理））を行う。
【０１０４】
なお、本実施形態に係る表示制御装置１００の構成は、図１２に示す構成に限られない。例えば、表示制御装置１００は、音声出力手段の役目を果たす、ＤＳＰ（Digital  Signal  Processor）と、増幅器（アンプ）やスピーカなどから構成される音声出力デバイスとをさらに備えていてもよい。
【０１０５】
また、表示制御装置１００は、例えば、表示制御装置１００の位置を検出する位置検出手段（位置検出部）としての役目を果たす位置検出デバイスをさらに備えていてもよい。位置検出デバイスとしては、例えば、ＧＰＳ（Global  Positioning  System）衛星などの外部装置から送信される信号を受信する通信アンテナ、および受信された信号を処理して位置を特定する処理回路などが挙げられる。なお、上記通信アンテナは、通信インタフェース１６６と共有されていてもよい。また、位置検出デバイスは、上記ＧＰＳに係るデバイスに限られない。例えば、本実施形態に係る位置検出デバイスとしては、ＩＰアドレスと位置とが対応付けられたデータベースを用いて位置を特定するための処理回路など、位置を特定可能な任意の処理を実現するための処理回路が挙げられる。
【０１０６】
再度図１１を参照して、表示制御装置１００の構成の一例について説明する。通信部１０２は、表示制御装置１００が備える通信手段であり、ネットワーク５００、６００を介して（あるいは、直接的に）外部装置と無線で通信を行う役目を果たす。ここで、通信部１０２としては、例えば、ＩＥＥＥ８０２．１１ｎポートおよび送受信回路や、通信アンテナおよびＲＦ回路などが挙げられる。
【０１０７】
制御部１０４は、例えば、ＭＰＵなどで構成され、表示制御装置１００全体を制御する役目を果たす。また、制御部１０４は、例えば、位置特定部１１０と、処理判定部１１２と、処理部１１４とを備え、上述した本実施形態に係る表示制御方法に係る処理を主導的に行う役目を果たす。
【０１０８】
位置特定部１１０は、上記（Ａ）の処理（撮像装置および表示装置それぞれの位置を特定する処理）を主導的に行う役目を果たす。より具体的には、位置特定部１１０は、例えば図６に示すステップＳ１００、Ｓ１０２に示す処理を行い、撮像装置１０および表示装置２０それぞれの位置を特定する。
【０１０９】
処理判定部１１２は、上記（Ｂ）の処理（画像を水平方向に反転させるかを判定する処理）を主導的に行う役目を果たす。より具体的には、処理判定部１１２は、例えば、位置特定部１１０から伝達される撮像装置１０および表示装置２０それぞれの位置を用いて、例えば図６に示すステップＳ１０４〜Ｓ１０８に示す処理を行い、選択された撮像装置１０が撮像した画像を水平方向に反転させるかを判定する。なお、処理判定部１１２は、例えば、画像の反転を行うか否かを示す処理実行設定情報に基づいて、画像を水平方向に反転させるか否かを判定してもよい。
【０１１０】
また、処理判定部１１２は、選択された撮像装置１０が撮像した画像に対応する音声を示す複数チャネルの音声信号がある場合には、例えば図１０に示すステップＳ２０４〜Ｓ２０８に示す処理を行い、上記画像に対応する音声における、第１チャネルの音声信号と第２チャネルの音声信号とを反転させるか否か（音声を左右反転させるか否か）をさらに判定することも可能である。なお、処理判定部１１２は、例えば音声の反転を行うか否かを示す処理実行設定情報に基づいて、音声の左右反転を行うか否かを判定してもよい。
【０１１１】
処理部１１４は、上記（Ｃ）の処理（画像を水平方向に選択的に反転させ、選択的に反転された画像を表示装置に表示させる処理）を主導的に行う役目を果たす。より具体的には、処理判定部１１２から伝達される判定結果に基づいて、撮像装置１０から送信される画像信号が示す画像を水平方向に選択的に反転させる。そして、処理部１１４は、画像を水平方向に反転させた場合には、反転させた画像を示す画像信号を、通信部１０２を介して撮像装置１０から送信される画像信号の送信先の表示装置２０へ送信し、当該表示装置２０に反転させた画像を表示させる。また、処理部１１４は、画像を水平方向に反転させない場合には、撮像装置１０から送信される画像信号を、上記送信先の表示装置２０へ送信し、当該表示装置２０に当該画像信号が示す画像を表示させる。
【０１１２】
また、処理判定部１１２から第１チャネルの音声信号と第２チャネルの音声信号とを反転させるか否かを示す判定結果がさらに伝達された場合には、処理部１１４は、処理判定部１１２から伝達される判定結果に基づいて、撮像装置１０から送信される画像信号が示す画像に対応する音声信号における、第１チャネルの音声信号と第２チャネルの音声信号とを選択的に反転させる。そして、処理部１１４は、第１チャネルの音声信号と第２チャネルの音声信号とを反転させた場合には、チャネルを反転させた音声信号を、通信部１０２を介して撮像装置１０から送信される画像信号の送信先の表示装置２０へ送信し、当該表示装置２０に反転させた音声を再生させる。また、処理部１１４は、第１チャネルの音声信号と第２チャネルの音声信号とを反転させない場合には、撮像装置１０から送信される画像信号が示す画像に対応する音声信号を、通信部１０２を介して撮像装置１０から送信される画像信号の送信先の表示装置２０へ送信し、当該表示装置２０に当該音声信号が示す音声を再生させる。
【０１１３】
制御部１０４は、例えば、位置特定部１１０と、処理判定部１１２と、処理部１１４とを備えることによって、上述した本実施形態に係る表示制御方法に係る処理を主導的に行う。なお、表示制御装置１００における本実施形態に係る表示制御方法に係る処理を実現するための構成が、図１１に示す制御部１０４の構成に限られないことは、言うまでもない。
【０１１４】
表示制御装置１００は、例えば図１１に示す構成によって、例えば、図６、または図６および図１０に示すような、本実施形態に係る表示制御方法に係る処理を行うことができる。したがって、表示制御装置１００は、例えば図１１に示す構成によって、ユーザが感じうる違和感の低減を図ることができる。
【０１１５】
なお、本実施形態に係る表示制御装置１００の構成は、図１１に示す構成に限られない。例えば、表示制御装置１００は、本実施形態に係る表示制御システムを構成する撮像装置や表示装置に適用することも可能である。本実施形態に係る表示制御装置１００の他の構成例については、後述する第２の実施形態に係る表示制御システム２０００、および第３の実施形態に係る表示制御システム３０００において説明する。
【０１１６】
次に、第１の実施形態に係る表示制御システム１０００を構成する、撮像装置１０および表示装置２０の構成の一例について説明する。
【０１１７】
［撮像装置１０］
撮像装置１０は、例えば、撮像部（図示せず）と、通信部（図示せず）と、制御部（図示せず）とを備え、画像の撮像を行うと共に、送信対処の表示装置２０に対する画像信号の送信を行う。また、撮像装置１０は、例えば、ＲＯＭ（図示せず）や、ＲＡＭ（図示せず）、記憶部（図示せず）などを備えていてもよい。撮像装置１０は、例えば、データの伝送路としてのバスにより上記各構成要素間を接続する。
【０１１８】
ここで、ＲＯＭ（図示せず）は、制御部（図示せず）が使用するプログラムや演算パラメータなどの制御用データを記憶する。また、ＲＡＭ（図示せず）は、制御部（図示せず）により実行されるプログラムなどを一時的に記憶する。
【０１１９】
記憶部（図示せず）は、撮像装置１０が備える記憶手段であり、例えば、表示装置２０と接続するためのリンク情報や、撮像装置１０や表示装置２０などの各装置の位置を判別することが可能な位置情報、アプリケーションなど様々なデータを記憶する。ここで、記憶部（図示せず）としては、例えば、ハードディスクなどの磁気記録媒体や、フラッシュメモリなどの不揮発性メモリなどが挙げられる。
【０１２０】
撮像部（図示せず）は、画像を撮像する。ここで、撮像部（図示せず）としては、例えば、レンズ−撮像素子と信号処理回路とから構成される撮像デバイスが挙げられる。レンズ−撮像素子は、例えば、光学系のレンズと、ＣＣＤ（Charge  Coupled  Device）やＣＭＯＳ（Complementary  Metal  Oxide  Semiconductor）などの撮像素子を複数用いたイメージセンサとで構成される。また、信号処理回路は、例えば、ＡＧＣ（Automatic  Gain  Control）回路やＡＤＣ（Analog  to  Digital  Converter）を備え、撮像素子により生成されたアナログ信号をデジタル信号（画像データ）に変換し、各種信号処理を行う。また、信号処理回路が行う信号処理としては、例えば、Ｗｈｉｔｅ  Ｂａｌａｎｃｅ補正処理、色調補正処理、ガンマ補正処理、ＹＣｂＣｒ変換処理、エッジ強調処理などが挙げられる。
【０１２１】
通信部（図示せず）は、撮像装置１０が備える通信手段であり、ネットワーク５００を介して（または直接的に）外部装置と通信を行う。ここで、通信部（図示せず）としては、ネットワーク５００に対応する通信デバイスが挙げられる。
【０１２２】
制御部（図示せず）は、ＭＰＵや各種処理回路などで構成され、撮像装置１０全体を制御する役目を果たす。また、制御部（図示せず）は、通信部（図示せず）における外部装置との通信を制御する。ここで、制御部（図示せず）における通信の制御としては、例えば、経路制御や、ＱｏＳ（Quality  of  Service）に係る制御、画像信号の送信対象の表示装置２０との間における画像信号の送信タイミングの制御などが挙げられる。
【０１２３】
より具体的には、制御部（図示せず）は、表示装置２０から送信された送信開始指示信号が、通信部（図示せず）から伝達された場合には、当該送信開始指示信号が指定する送信開始時刻に、撮像部（図示せず）が撮像により生成した画像データを送信させる。また、制御部（図示せず）は、画像データを送信させる場合には、ラインベース・コーデックなどの所定の符号化方式で符号化する（または、他の構成要素に符号化させる。）。
【０１２４】
また、制御部（図示せず）は、例えば、表示制御装置１００から送信される位置情報送信要求が受信された場合に位置情報を表示制御装置１００に対して送信させ、または、定期的／非定期的に位置情報を表示制御装置１００に対して送信させる。
【０１２５】
撮像装置１０は、例えば上記のような構成を有する。なお、撮像装置１０の構成は、上記に限られない。例えば、撮像装置１０は、マイクロホンなどから構成される集音デバイスをさらに備え、撮像した画像に対応する音声信号をさらに送信してもよい。
【０１２６】
［表示装置２０］
表示装置２０は、例えば、表示部（図示せず）と、通信部（図示せず）と、制御部（図示せず）とを備え、通信部（図示せず）が受信した画像信号が示す画像を表示画面に表示する。また、表示装置２０は、例えば、ＲＯＭ（図示せず）や、ＲＡＭ（図示せず）、記憶部（図示せず）などを備えていてもよい。表示装置２０は、例えば、データの伝送路としてのバスにより上記各構成要素間を接続する。
【０１２７】
ここで、ＲＯＭ（図示せず）は、制御部（図示せず）が使用するプログラムや演算パラメータなどの制御用データを記憶する。また、ＲＡＭ（図示せず）は、制御部（図示せず）により実行されるプログラムなどを一時的に記憶する。
【０１２８】
記憶部（図示せず）は、表示装置２０が備える記憶手段であり、例えば、撮像装置１０と接続するためのリンク情報や、表示装置２０の位置を判別することが可能な位置情報、アプリケーションなど様々なデータを記憶する。ここで、記憶部（図示せず）としては、例えば、ハードディスクなどの磁気記録媒体や、フラッシュメモリなどの不揮発性メモリなどが挙げられる。
【０１２９】
表示部（図示せず）は、表示装置２０が備える表示手段であり、表示画面に様々な情報を表示する。表示装置２０の表示画面に表示される画面としては、例えば、通信部（図示せず）が受信した画像信号を復号して得られる画像が表示される再生画面や、図７、図９に示すような画面、所望する動作を表示装置２０に対して行わせるための操作画面などが挙げられる。ここで、表示部（図示せず）としては、例えば、液晶ディスプレイや有機ＥＬディスプレイなどが挙げられる。また、表示装置２０は、例えばタッチスクリーンで表示部（図示せず）を構成することもできる。上記の場合には、表示部（図示せず）は、ユーザ操作および表示の双方が可能な操作表示部として機能することとなる。
【０１３０】
通信部（図示せず）は、表示装置２０が備える通信手段であり、ネットワーク６００を介して（または直接的に）外部装置と通信を行う。ここで、通信部（図示せず）としては、ネットワーク６００に対応する通信デバイスが挙げられる。
【０１３１】
例えば、通信部（図示せず）は、ＲＡＭなどの送信メモリに保持されているデータを読み出して送信パケット（例えば、ＩＰプロトコルに基づく通信を行う場合には、ＩＰパケット）を生成し、生成したＩＰパケットを送信する。また、通信部（図示せず）は、パケットが受信された場合には、受信されたパケットを解析し、例えば、画像データなどの処理対象のデータと、通信の制御など各種制御に用いる制御データとを分離して、ＲＡＭなどに分離したデータを記録する。例えば、ＩＰプロトコルに基づく通信を行う場合には、通信部（図示せず）は、受信したパケットに含まれる宛先ＩＰアドレスおよび宛先ポート番号を参照して、画像データなどをＲＡＭなどの受信メモリに記録する。なお、通信部（図示せず）は、他の装置へのデータの転送を制御するルーティング機能を有していてもよい。
【０１３２】
制御部（図示せず）は、ＭＰＵや各種処理回路などで構成され、表示装置２０全体を制御する役目を果たす。また、制御部（図示せず）は、通信部（図示せず）における外部装置との通信を制御し、また、画像や音声などの再生に係る同期制御や、画像データなどの復号などの再生処理を行う。
【０１３３】
制御部（図示せず）は、通信部（図示せず）における外部装置との通信を制御する。また、制御部（図示せず）は、復号を開始すべき時点（例えば復号開始時刻）を判断して復号の対象となるデータを受信メモリから読み出し、読み出したデータを復号する。
【０１３４】
ここで、制御部（図示せず）における通信の制御としては、例えば、経路制御や、ＱｏＳに係る制御などが挙げられる。また、制御部（図示せず）は、例えば、画像データの伝送要求を行うなどの画像データの伝送に係るアプリケーションとの間における画像データの入出力管理を行う。ここで、制御部（図示せず）における上記処理は、例えば、アプリケーション層の処理として実装されるが、実装方法は、上記に限られない。
【０１３５】
また、制御部（図示せず）は、通信部（図示せず）を介した撮像装置１０と通信によって、画像データの送受信タイミングの調整を行い、また、復号を開始すべき時点を決定する。例えば、制御部（図示せず）は、通信部（図示せず）が受信した、撮像装置１０から送信される同期要求信号をトリガとして、画像データの送受信タイミングの調整を開始する。そして、制御部（図示せず）は、撮像装置１０に向けて画像データの送信開始時刻を指定する送信開始指示信号を送信し、当該送信開始時刻と対応する時刻を復号開始時刻として指定する。ここで、制御部（図示せず）は、例えば、復号開始時刻から、復号化単位ごとのデータ量の変動や、通信経路のジッタなどの通信環境の変動により生じる遅延、ハードウェア遅延、またはメモリ遅延などを吸収するための時間を差し引いた時刻を、画像データの送信開始時刻として指定する。
【０１３６】
制御部（図示せず）が上記のように画像データの送受信タイミングを調整し、また、復号を開始すべき時点を決定することによって、送信装置１０との間において画像データの送受信に係る同期が図られる。ここで、制御部（図示せず）における同期に係る処理は、例えば、アプリケーション層の処理として実装されるが、実装方法は、上記に限られない。
【０１３７】
また、制御部（図示せず）は、受信メモリから読み出したデータを、例えば、ラインベース・コーデックに基づき、１フィールド内のＮライン（Ｎは１以上）の単位で復号する。そして、制御部（図示せず）は、復号した画像データが示す画像を、表示部（図示せず）に表示させる。なお、表示装置２０における復号処理が、ラインベース・コーデックに基づく処理に限られないことは言うまでもない。
【０１３８】
また、制御部（図示せず）は、例えば、表示制御装置１００から送信される位置情報送信要求が受信された場合に位置情報を表示制御装置１００に対して送信させ、または、定期的／非定期的に位置情報を表示制御装置１００に対して送信させる。
【０１３９】
表示装置２０は、例えば上記のような構成を有する。上記のような構成を有することによって、表示装置２０は、表示制御システム１０００における低遅延での画像データの伝送の実現と、送信装置１０との間における画像データの送受信に係る同期の実現とを図ることができる。
【０１４０】
なお、表示装置２０の構成は、上記に限られない。例えば、表示装置２０は、ラインベース・コーデックなど所定の画像圧縮方式に従い、画像データを所定の符号化単位で符号化する機能や、符号化した画像データを他の装置へ送信する機能を有していてもよい。また、表示装置２０は、音声を出力する音声出力部（図示せず）をさらに備えていてもよい。音声出力部（図示せず）としては、例えば、ＤＳＰと、増幅器（アンプ）やスピーカなどから構成される音声出力デバイスとが挙げられる。
【０１４１】
第１の実施形態に係る表示制御システム１０００は、例えば、上記のような構成を有する表示制御装置１００、撮像装置１０、表示装置２０を有する。ここで、表示制御装置１００は、例えば、図６、または図６および図１０に示すような、本実施形態に係る表示制御方法に係る処理を行うことによって、ユーザが直接的にみる対象物における水平軸と、ユーザが表示装置の表示画面に映る画像を介して間接的にみる対象物における水平軸とを一致させる。
【０１４２】
したがって、表示制御装置１００を有することによって、第１の実施形態に係る表示制御システム１０００では、ユーザが感じうる違和感の低減を図ることができる。
【０１４３】
また、上記では、第１の実施形態に係る表示制御システム１０００を構成する構成要素として表示制御装置１００を挙げて説明したが、本実施形態は、かかる形態に限られない。本実施形態は、例えば、ＰＣやサーバなどのコンピュータなど、通信機能を有する様々な機器に適用することができる。
【０１４４】
（２）第２の実施形態に係る表示制御システム
上記では、第１の実施形態に係る表示制御システム１０００として、撮像装置や表示装置とは別体の表示制御装置１００が、撮像装置が撮像した画像を水平方向に選択的に反転させて、表示装置に画像を表示させる構成を示した。しかしながら、本実施形態に係る表示制御システムの構成は、例えば図５に示すような第１の実施形態に係る表示制御システム１０００に係る構成に限られない。例えば、本実施形態に係る表示制御システムでは、画像の表示を行う表示装置が、本実施形態に係る表示制御装置の役目を果たすことも可能である。そこで、次に、第２の実施形態に係る表示制御システム２０００として、表示装置が本実施形態に係る表示制御装置の役目を果たす表示制御システムについて、説明する。
【０１４５】
図１３は、第２の実施形態に係る表示制御システム２０００の構成の一例を示す説明図である。表示制御システム２０００は、本実施形態に係る表示制御装置としての役目を果たす表示装置２００と、撮像装置１０Ａ〜１０Ｄとを有する。また、表示装置２００と撮像装置１０Ａ〜１０Ｄそれぞれとは、ネットワーク７００で接続される。ここで、ネットワーク７００としては、例えば、図５に示すネットワーク５００やネットワーク６００と同様のネットワークが挙げられる。
【０１４６】
なお、図１３では、表示制御システム２０００が４つの撮像装置１０Ａ〜１０Ｄを有する構成を示しているが、第２の実施形態に係る表示制御システム２０００の構成は、上記に限られない。例えば、第２の実施形態に係る表示制御システム２０００は、１または２以上の撮像装置１０を有していてもよい。また、図１３では、表示制御システム２０００が１つの表示装置２００を有する構成を示しているが、第２の実施形態に係る表示制御システム２０００の構成は、上記に限られない。例えば、第２の実施形態に係る表示制御システム２０００は、複数の表示装置２００を有していてもよい。複数の表示装置２００を有する場合、表示制御システム２０００では、それぞれの表示装置２００が、後述する構成を有することにより、本実施形態に係る表示制御方法に係る処理の実行と、画像の表示とを行う。
【０１４７】
表示装置２００は、例えば、第１の実施形態に係る表示装置２０が有する機能に加え、さらに、第１の実施形態に係る表示制御装置１００が有する機能を有する。
【０１４８】
図１４は、本実施形態に係る表示装置２００の構成の一例を示すブロック図である。表示装置２００（表示制御装置）は、例えば、通信部２０２と、位置検出部２０４と、制御部２０６と、表示部２０８と、音声出力部２１０とを備える。
【０１４９】
また、表示装置２００は、例えば、ＲＯＭ（図示せず）や、ＲＡＭ（図示せず）、記憶部（図示せず）、表示装置２００のユーザが操作可能な操作部（図示せず）などを備えていてもよい。表示装置２００は、例えば、データの伝送路としてのバスにより上記各構成要素間を接続する。
【０１５０】
ＲＯＭ（図示せず）は、制御部２０６が使用するプログラムや演算パラメータなどの制御用データを記憶する。ＲＡＭ（図示せず）は、制御部２０６により実行されるプログラムなどを一時的に記憶する。
【０１５１】
記憶部（図示せず）は、表示装置２００が備える記憶手段である。ここで、記憶部（図示せず）としては、例えば、ハードディスクなどの磁気記録媒体や、フラッシュメモリなどの不揮発性メモリが挙げられる。また、操作部（図示せず）としては、例えば上述した操作デバイスが挙げられる。
【０１５２】
＜表示装置２００のハードウェア構成例＞
表示装置２００は、例えば図１２に示す表示制御装置１００と同様のハードウェア構成を有する。ここで、図１２に示すＭＰＵ１５０は、制御部２０６として機能する。また、ＭＰＵ１５０は、表示装置２００において、位置特定部１１０、処理判定部１１２、および処理部１１４としての役目を果たすこともできる。また、図１２に示す表示デバイス１６２は、表示部２０８として機能する。また、図１２に示す通信インタフェース１６４は、通信部２０２として機能する。
【０１５３】
また、表示装置２００は、例えば、図１２に示すハードウェア構成に加え、例えば、位置検出部２０４としての役目を果たす位置検出デバイスと、音声出力部２１０としての役目を果たす音声出力デバイスとをさらに備えていてもよい。なお、本実施形態に係る表示装置２００のハードウェア構成は、位置検出デバイスをさらに備える構成に限られない。例えば、表示装置２００では、ＭＰＵ１５０、または、ＭＰＵ１５０および通信インタフェース１６４が、位置検出デバイスとして機能してもよい。
【０１５４】
通信部２０２は、表示装置２００が備える通信手段であり、ネットワーク７００を介して（あるいは、直接的に）外部装置と無線で通信を行う役目を果たす。ここで、通信部２０２としては、例えば、ＩＥＥＥ８０２．１１ｎポートおよび送受信回路や、通信アンテナおよびＲＦ回路などが挙げられる。
【０１５５】
位置検出部２０４は、自装置の位置を検出する。ここで、位置検出部２０４は、例えば、上述した位置情報に基づく位置特定方法に係る処理を行うことによって、自装置の位置を検出する。また、位置検出部２０４は、位置特定部１１０と連携して自装置の位置を検出してもよい。位置検出部２０４としては、例えば上記位置検出デバイスが挙げられるが、位置検出部２０４の構成は、上記に限られない。
【０１５６】
制御部２０６は、例えば、ＭＰＵなどで構成され、表示装置２００全体を制御する役目を果たす。また、制御部２０６は、例えば、図１１に示す第１の実施形態に係る表示制御装置１００の制御部１０４と同様の機能を有する、位置特定部１１０と、処理判定部１１２と、処理部１１４とを備え、上述した本実施形態に係る表示制御方法に係る処理（例えば、上記（Ａ）の処理（撮像装置および表示装置それぞれの位置を特定する処理）〜（Ｃ）の処理（画像を水平方向に選択的に反転させ、選択的に反転された画像を表示装置に表示させる処理））を主導的に行う役目を果たす。
【０１５７】
より具体的には、処理部１１４は、例えば、処理判定部１１２において画像を水平方向に反転させると判定された場合には、通信部２０２が受信した画像信号が示す画像を水平方向に反転させる。そして、処理部１１４は、例えば、水平方向に反転させた画像を示す画像信号を表示部２０８に伝達することによって、水平方向に反転させた画像を表示部２０８に表示させる。また、処理部１１４は、例えば、処理判定部１１２において画像を水平方向に反転させると判定されない場合には、例えば、通信部２０２が受信した画像信号が示す画像を示す画像信号を表示部２０８に伝達することによって、通信部２０２が受信した画像信号が示す画像を表示部２０８に表示させる。
【０１５８】
また、処理部１１４は、図１１に示す第１の実施形態に係る表示制御装置１００の処理部１１４と同様に、処理判定部１１２から伝達される判定結果に基づいて、撮像装置１０から送信される画像信号が示す画像に対応する音声信号における、第１チャネルの音声信号と第２チャネルの音声信号とを選択的に反転させてもよい。第１チャネルの音声信号と第２チャネルの音声信号とを反転させた場合には、処理部１１４は、チャネルを反転させた音声信号を再生し、音声出力部２１０に当該音声信号が示す音声を出力させる。また、処理部１１４は、第１チャネルの音声信号と第２チャネルの音声信号とを反転させない場合には、撮像装置１０から送信される画像信号が示す画像に対応する音声信号を再生し、音声出力部２１０に当該音声信号が示す音声を出力させる。
【０１５９】
また、制御部２０６は、第１の実施形態に係る表示装置２０と同様の構成を有することによって、表示制御システム２０００における低遅延での画像データの伝送の実現と、送信装置１０との間における画像データの送受信に係る同期の実現とを図る。
【０１６０】
制御部２０６は、例えば、図１１に示す第１の実施形態に係る表示制御装置１００の制御部１０４と同様の機能を有する、位置特定部１１０と、処理判定部１１２と、処理部１１４とを備えることによって、上述した本実施形態に係る表示制御方法に係る処理を主導的に行う。なお、表示装置２００における本実施形態に係る表示制御方法に係る処理を実現するための構成が、図１４に示す制御部２０６の構成に限られないことは、言うまでもない。
【０１６１】
表示部２０８は、表示装置２００が備える表示手段であり、表示画面に様々な情報を表示する。表示装置２００の表示画面に表示される画面としては、例えば、通信部２０２が受信した画像信号を復号して得られる画像が表示される再生画面や、図７、図９に示すような画面、所望する動作を表示装置２００に対して行わせるための操作画面などが挙げられる。ここで、表示部２０８としては、例えば、液晶ディスプレイや有機ＥＬディスプレイなどが挙げられる。また、表示装置２００は、例えばタッチスクリーンで表示部２０８を構成することもできる。上記の場合には、表示部２０８は、ユーザ操作および表示の双方が可能な操作表示部として機能することとなる。
【０１６２】
音声出力部２１０は、表示装置２００が備える音声出力手段であり、様々な音声を出力する。音声出力部２１０から出力される音声としては、例えば、受信した画像信号に対応する音声信号が示す音声や、処理部１１４において第１チャネルの音声信号と第２チャネルの音声信号とが反転された音声信号が示す音声、エラーを通知する音声などのシステム音声などが挙げられる。ここで、音声出力部２１０としては、例えば、増幅器やスピーカなどから構成される音声出力デバイスが挙げられる。
【０１６３】
表示装置２００は、例えば図１４に示す構成によって、例えば図１１に示す第１の実施形態に係る表示制御装置１００と同様に、本実施形態に係る表示制御方法に係る処理を行うことができる。したがって、表示装置２００は、例えば図１４に示す構成によって、ユーザが感じうる違和感の低減を図ることができる。
【０１６４】
なお、第２の実施形態に係る表示装置２００の構成は、図１４に示す構成に限られない。例えば、表示装置２００は、図１４に示す音声出力部２１０を備えず、例えば外部スピーカなどのような外部音声出力装置に音声を出力させてもよい。また、表示装置２００は、図１４に示す表示部２０８を備えず、例えば外部ディスプレイなどの外部表示装置に画像を表示させてもよい。なお、表示装置２００が、表示装置２００が表示部２０８を備えているか否かによらず、例えば外部ディスプレイなどの外部表示装置に画像を表示させることが可能であることは、言うまでもない。
【０１６５】
第２の実施形態に係る表示制御システム２０００は、例えば図１３に示すように、本実施形態に係る表示制御装置としての役目を果たす表示装置２００と、撮像装置１０とを有する。ここで、表示装置２００は、例えば、図６、または図６および図１０に示すような、本実施形態に係る表示制御方法に係る処理を行うことによって、ユーザが直接的にみる対象物における水平軸と、ユーザが表示装置の表示画面に映る画像を介して間接的にみる対象物における水平軸とを一致させる。
【０１６６】
したがって、表示装置２００を有することによって、第２の実施形態に係る表示制御システム２０００では、ユーザが感じうる違和感の低減を図ることができる。
【０１６７】
また、上記では、第２の実施形態に係る表示制御システム２０００を構成する構成要素として表示装置２００を挙げて説明したが、本実施形態は、かかる形態に限られない。本実施形態は、例えば、ＰＣやサーバなどのコンピュータ、携帯電話やＰＨＳなどの携帯型通信装置、映像／音楽再生装置、映像／音楽記録再生装置、ゲーム機など、様々な機器に適用することができる。
【０１６８】
（３）第３の実施形態に係る表示制御システム
上記では、第１の実施形態に係る表示制御システム１０００として、撮像装置や表示装置とは別体の表示制御装置１００が、撮像装置が撮像した画像を水平方向に選択的に反転させて、表示装置に画像を表示させる構成を示し、また、第２の実施形態に係る表示制御システム２０００として、表示装置が、本実施形態に係る表示制御装置の役目を果たす構成を示した。しかしながら、本実施形態に係る表示制御システムの構成は、例えば、図５に示すような第１の実施形態に係る表示制御システム１０００に係る構成や、図１３に示すような第２の実施形態に係る表示制御システム２０００に係る構成に限られない。例えば、本実施形態に係る表示制御システムでは、撮像を行う撮像装置が、本実施形態に係る表示制御装置の役目を果たすことも可能である。そこで、次に、第３の実施形態に係る表示制御システム３０００として、表示装置が本実施形態に係る表示制御装置の役目を果たす表示制御システムについて、説明する。
【０１６９】
図１５は、第３の実施形態に係る表示制御システム３０００の構成の一例を示す説明図である。表示制御システム３０００は、本実施形態に係る表示制御装置としての役目を果たす撮像装置３００と、表示装置２０Ａ〜２０Ｃとを有する。また、撮像装置３００と表示装置２０Ａ〜２０Ｃそれぞれとは、ネットワーク８００で接続される。ここで、ネットワーク８００としては、例えば、図５に示すネットワーク５００やネットワーク６００と同様のネットワークが挙げられる。
【０１７０】
なお、図１５では、表示制御システム３０００が３つの表示装置２０Ａ〜２０Ｃを有する構成を示しているが、第３の実施形態に係る表示制御システム３０００の構成は、上記に限られない。例えば、第３の実施形態に係る表示制御システム３０００は、１または２以上の表示装置２０を有していてもよい。また、図１５では、表示制御システム３０００が１つの撮像装置３００を有する構成を示しているが、第３の実施形態に係る表示制御システム３０００の構成は、上記に限られない。例えば、第３の実施形態に係る表示制御システム３０００は、複数の撮像装置３００を有していてもよい。複数の撮像装置３００を有する場合、表示制御システム３０００では、それぞれの撮像装置３００が、後述する構成を有することにより、本実施形態に係る表示制御方法に係る処理の実行と、撮像および画像信号の送信とを行う。
【０１７１】
撮像装置３００は、例えば、第１の実施形態に係る撮像装置１０が有する機能に加え、さらに、第１の実施形態に係る表示制御装置１００が有する機能を有する。
【０１７２】
図１６は、本実施形態に係る撮像装置３００の構成の一例を示すブロック図である。撮像装置３００（表示制御装置）は、例えば、通信部３０２と、位置検出部３０４と、制御部３０６と、撮像部３０８とを備える。
【０１７３】
また、撮像装置３００は、例えば、ＲＯＭ（図示せず）や、ＲＡＭ（図示せず）、記憶部（図示せず）、撮像装置３００のユーザが操作可能な操作部（図示せず）、音声信号を生成する音声信号生成部（図示せず）などを備えていてもよい。表示装置２００は、例えば、データの伝送路としてのバスにより上記各構成要素間を接続する。
【０１７４】
ＲＯＭ（図示せず）は、制御部３０６が使用するプログラムや演算パラメータなどの制御用データを記憶する。ＲＡＭ（図示せず）は、制御部３０６により実行されるプログラムなどを一時的に記憶する。
【０１７５】
記憶部（図示せず）は、撮像装置３００が備える記憶手段である。ここで、記憶部（図示せず）としては、例えば、ハードディスクなどの磁気記録媒体や、フラッシュメモリなどの不揮発性メモリが挙げられる。また、音声信号生成部（図示せず）としては、例えば、マイクロホンなどから構成される集音デバイスなどが挙げられる。
【０１７６】
＜撮像装置３００のハードウェア構成例＞
撮像装置３００は、例えば図１２に示す表示制御装置１００と同様のハードウェア構成を有する。ここで、図１２に示すＭＰＵ１５０は、制御部３０６として機能する。また、ＭＰＵ１５０は、撮像装置３００において、位置特定部１１０、処理判定部１１２、および処理部１１４としての役目を果たすこともできる。また、図１２に示す通信インタフェース１６４は、通信部３０２として機能する。
【０１７７】
また、撮像装置３００は、例えば、図１２に示すハードウェア構成に加え、例えば、撮像部３０８としての役目を果たす撮像デバイスをさらに備える。また、撮像装置３００は、例えば、図１２に示すハードウェア構成に加え、位置検出部３０４としての役目を果たす位置検出デバイスをさらに備えていてもよい。なお、本実施形態に係る撮像装置３００のハードウェア構成は、位置検出デバイスをさらに備える構成に限られない。例えば、撮像装置３００では、ＭＰＵ１５０、または、ＭＰＵ１５０および通信インタフェース１６４が、位置検出デバイスとして機能してもよい。
【０１７８】
通信部３０２は、撮像装置３００が備える通信手段であり、ネットワーク８００を介して（あるいは、直接的に）外部装置と無線で通信を行う役目を果たす。ここで、通信部３０２としては、例えば、ＩＥＥＥ８０２．１１ｎポートおよび送受信回路や、通信アンテナおよびＲＦ回路などが挙げられる。
【０１７９】
位置検出部３０４は、自装置の位置を検出する。ここで、位置検出部３０４は、例えば、上述した位置情報に基づく位置特定方法に係る処理を行うことによって、自装置の位置を検出する。また、位置検出部３０４は、位置特定部１１０と連携して自装置の位置を検出してもよい。位置検出部３０４としては、例えば上記位置検出デバイスが挙げられるが、位置検出部３０４の構成は、上記に限られない。
【０１８０】
制御部３０６は、例えば、ＭＰＵなどで構成され、撮像装置３００全体を制御する役目を果たす。また、制御部３０６は、例えば、図１１に示す第１の実施形態に係る表示制御装置１００の制御部１０４と同様の機能を有する、位置特定部１１０と、処理判定部１１２と、処理部１１４とを備え、上述した本実施形態に係る表示制御方法に係る処理（例えば、上記（Ａ）の処理（撮像装置および表示装置それぞれの位置を特定する処理）〜（Ｃ）の処理（画像を水平方向に選択的に反転させ、選択的に反転された画像を表示装置に表示させる処理））を主導的に行う役目を果たす。
【０１８１】
より具体的には、処理部１１４は、例えば、処理判定部１１２において画像を水平方向に反転させると判定された場合には、撮像部３０８が撮像した画像を水平方向に反転させる。そして、処理部１１４は、例えば、送信命令と、水平方向に反転させた画像を示す画像信号とを通信部３０２に伝達することによって、水平方向に反転させた画像を示す画像信号を、送信対象の表示装置２０へ送信させる。また、処理部１１４は、例えば、処理判定部１１２において画像を水平方向に反転させると判定されない場合には、例えば、送信命令と、撮像部３０８が撮像した画像を示す画像信号とを通信部３０２に伝達することによって、当該画像信号を送信対象の表示装置２０へ送信させる。
【０１８２】
また、処理部１１４は、図１１に示す第１の実施形態に係る表示制御装置１００の処理部１１４と同様に、処理判定部１１２から伝達される判定結果に基づいて、撮像装置１０から送信される画像信号が示す画像に対応する音声信号における、第１チャネルの音声信号と第２チャネルの音声信号とを選択的に反転させてもよい。第１チャネルの音声信号と第２チャネルの音声信号とを反転させた場合には、処理部１１４は、チャネルを反転させた音声信号を、通信部３０２を介して画像信号の送信先の表示装置２０へ送信し、当該表示装置２０に反転させた音声を再生させる。また、処理部１１４は、第１チャネルの音声信号と第２チャネルの音声信号とを反転させない場合には、画像信号が示す画像に対応する音声信号を、通信部３０２を介して上記送信先の表示装置２０へ送信し、当該表示装置２０に当該音声信号が示す音声を再生させる。
【０１８３】
また、制御部３０６は、第１の実施形態に係る撮像装置１０と同様の構成を有することによって、例えば、経路制御や、ＱｏＳに係る制御、画像信号の送信対象の表示装置２０との間における画像信号の送信タイミングの制御など、通信部３０２における外部装置との間における通信を制御する。
【０１８４】
制御部３０６は、例えば、図１１に示す第１の実施形態に係る表示制御装置１００の制御部１０４と同様の機能を有する、位置特定部１１０と、処理判定部１１２と、処理部１１４とを備えることによって、上述した本実施形態に係る表示制御方法に係る処理を主導的に行う。なお、撮像装置３００における本実施形態に係る表示制御方法に係る処理を実現するための構成が、図１６に示す制御部３０６の構成に限られないことは、言うまでもない。
【０１８５】
撮像部３０８は、画像を撮像する。ここで、撮像部（図示せず）としては、例えば、レンズ−撮像素子と信号処理回路とから構成される撮像デバイスが挙げられる。
【０１８６】
撮像装置３００は、例えば図１６に示す構成によって、例えば図１１に示す第１の実施形態に係る表示制御装置１００と同様に、本実施形態に係る表示制御方法に係る処理を行うことができる。したがって、撮像装置３００は、例えば図１６に示す構成によって、ユーザが感じうる違和感の低減を図ることができる。
【０１８７】
なお、第３の実施形態に係る撮像装置３００の構成は、図１６に示す構成に限られない。例えば、撮像装置３００は、接続された外部撮像デバイスなどの外部撮像装置が撮像した画像を処理してもよい。
【０１８８】
第３の実施形態に係る表示制御システム３０００は、例えば図１５に示すように、本実施形態に係る表示制御装置としての役目を果たす撮像装置３００と、表示装置２０とを有する。ここで、撮像装置３００は、例えば、図６、または図６および図１０に示すような、本実施形態に係る表示制御方法に係る処理を行うことによって、ユーザが直接的にみる対象物における水平軸と、ユーザが表示装置の表示画面に映る画像を介して間接的にみる対象物における水平軸とを一致させる。
【０１８９】
したがって、撮像装置３００を有することによって、第３の実施形態に係る表示制御システム３０００では、ユーザが感じうる違和感の低減を図ることができる。
【０１９０】
また、上記では、第３の実施形態に係る表示制御システム３０００を構成する構成要素として撮像装置３００を挙げて説明したが、本実施形態は、かかる形態に限られない。本実施形態は、例えば、ビデオカメラや、デジタルスチルカメラ、ＰＣやサーバなどのコンピュータ、携帯電話やＰＨＳなどの携帯型通信装置、映像／音楽再生装置、映像／音楽記録再生装置、ゲーム機など、撮像機能を有する様々な機器に適用することができる。
【０１９１】
以上のように、本実施形態に係る表示制御システムでは、表示制御システムを構成するいずれかの装置が、本実施形態に係る表示制御装置として機能する。ここで、本実施形態に係る表示制御装置は、例えば、上記（Ａ）の処理（撮像装置および表示装置それぞれの位置を特定する処理）〜（Ｃ）の処理（画像を水平方向に選択的に反転させ、選択的に反転された画像を表示装置に表示させる処理）を行うことによって、ユーザが直接的にみる対象物における水平軸と、ユーザが表示装置の表示画面に映る画像を介して間接的にみる対象物における水平軸とを一致させる。
【０１９２】
したがって、本実施形態に係る表示制御装置を有することによって、本実施形態に係る表示制御システムでは、ユーザが感じうる違和感の低減を図ることができる。
【０１９３】
ここで、本実施形態に係る表示制御システムでは、例えば図５に示すように、撮像装置、表示装置とは別体の表示制御装置が、表示制御システムにおける表示制御を集中的に制御する構成をとることができ、また、例えば図１３、図１５に示すように、撮像装置または表示装置が表示制御システムにおける表示制御を制御する構成をとることも可能である。つまり、本実施形態に係る表示制御システムは、本実施形態に係る表示制御方法に係る処理を特定の装置に集中的に行わせることができ、または、本実施形態に係る表示制御方法に係る処理を複数の装置で分散して行うことができる。
【０１９４】
（本実施形態に係るプログラム）
コンピュータを、本実施形態に係る表示制御装置として機能させるためのプログラム（例えば、上記（Ａ）の処理（撮像装置および表示装置それぞれの位置を特定する処理）〜（Ｃ）の処理（画像を水平方向に選択的に反転させ、選択的に反転された画像を表示装置に表示させる処理）など、本実施形態に係る表示制御方法に係る処理を実行することが可能なプログラム）によって、ユーザが感じうる違和感の低減を図ることができる。また、本実施形態に係る表示制御システムを構成するいずれかの装置が、上記本実施形態に係る表示制御装置として機能させるためのプログラムを実行することによって、ユーザが感じうる違和感の低減を図ることが可能な表示制御システムが実現される。
【０１９５】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１９６】
例えば、本実施形態に係る表示制御装置は、図１１、図１４、図１６に示す位置特定部１１０、処理判定部１１２、および処理部１１４を個別に備える（例えば、それぞれを個別の処理回路で実現する）ことができる。
【０１９７】
また、例えば、上記では、コンピュータを、本実施形態に係る表示制御装置として機能させるためのプログラム（コンピュータプログラム）が提供されることを示したが、本実施形態は、さらに、上記プログラムをそれぞれ記憶させた記録媒体も併せて提供することができる。
【０１９８】
上述した構成は、本実施形態の一例を示すものであり、当然に、本開示の技術的範囲に属するものである。
【０１９９】
なお、以下のような構成も本開示の技術的範囲に属する。
（１）
外部装置と通信を行う通信部と、
撮像を行う撮像装置、および画像を表示する表示装置それぞれの位置を特定する位置特定部と、
画像を表示させる表示装置の位置と、表示させる前記画像を撮像する撮像装置の位置とに基づいて、前記撮像装置が撮像した画像を水平方向に反転させるかを判定する処理判定部と、
前記撮像装置が撮像した画像を水平方向に選択的に反転させる処理部と、
を備え、
前記処理部は、
前記画像を水平方向に反転させると判定された場合には、前記撮像装置が撮像した画像を水平方向に反転させて、水平方向に反転させた画像を前記表示装置に表示させ、
前記画像を水平方向に反転させると判定されない場合には、前記撮像装置が撮像した画像を前記表示装置に表示させる、表示制御装置。
（２）
撮像された前記画像に対応する音声を示す複数チャネルの音声信号があるとき、
前記処理部は、前記画像を水平方向に反転させると判定された場合には、前記音声信号における第１チャネルの音声信号と第２チャネルの音声信号とを反転させ、反転された音声信号が示す音声を前記表示装置に再生させる、（１）に記載の表示制御装置。
（３）
自装置の位置を検出する位置検出部をさらに備える、（１）または（２）に記載の表示制御装置。
（４）
撮像を行う撮像部をさらに備え、
自装置が、前記表示装置に表示させる画像を撮像する撮像装置である場合には、
前記処理判定部は、自装置の位置と、画像を表示させる表示装置の位置とに基づいて、前記撮像部が撮像した画像を水平方向に反転させるかを判定し、
前記処理部は、
前記画像を水平方向に反転させると判定された場合には、水平方向に反転させた画像を示す画像信号を前記表示装置へ送信させ、
前記画像を水平方向に反転させると判定されない場合には、前記撮像部が撮像した画像を示す画像信号を前記表示装置へ送信させる、（１）〜（３）のいずれか１つに記載の表示制御装置。
（５）
画像を表示する表示部をさらに備え、
自装置が、前記撮像装置が撮像した画像を表示する表示装置である場合には、
前記処理判定部は、自装置の位置と、前記撮像装置の位置とに基づいて、前記撮像装置が撮像した画像を水平方向に反転させるかを判定し、
前記画像を水平方向に反転させると判定された場合には、前記通信部が受信した、前記撮像装置から送信された画像信号が示す画像を水平方向に反転させ、水平方向に反転させた画像を前記表示部に表示させ、
前記画像を水平方向に反転させると判定されない場合には、前記通信部が受信した、前記撮像装置から送信された画像信号が示す画像を前記表示部に表示させる、（１）〜（３）のいずれか１つに記載の表示制御装置。
（６）
前記通信部は、１または２以上の撮像装置、および１または２以上の表示装置それぞれと通信を行い、
前記処理部は、
前記画像を水平方向に反転させると判定された場合に、前記通信部が受信した、前記撮像装置から送信された画像信号が示す画像を水平方向に反転させて、水平方向に反転させた画像を示す画像信号を、前記撮像装置から送信された画像信号の送信先の表示装置へ送信させ、
前記画像を水平方向に反転させると判定されない場合には、前記通信部が受信した、前記撮像装置から送信された画像信号を、前記送信先の表示装置へ送信させる、（１）〜（３）のいずれか１つに記載の表示制御装置。
（７）
撮像を行う撮像装置、および画像を表示する表示装置それぞれの位置を特定するステップと、
画像を表示させる表示装置の位置と、表示させる前記画像を撮像する撮像装置の位置とに基づいて、前記撮像装置が撮像した画像を水平方向に反転させるかを判定するステップと、
前記撮像装置が撮像した画像を水平方向に選択的に反転させるステップと、
を有し、
前記反転させるステップでは、
前記画像を水平方向に反転させると判定された場合には、前記撮像装置が撮像した画像を水平方向に反転させて、水平方向に反転させた画像を前記表示装置に表示させ、
前記画像を水平方向に反転させると判定されない場合には、前記撮像装置が撮像した画像を前記表示装置に表示させる、表示制御方法。
（８）
撮像を行う撮像装置、および画像を表示する表示装置それぞれの位置を特定するステップ、
画像を表示させる表示装置の位置と、表示させる前記画像を撮像する撮像装置の位置とに基づいて、前記撮像装置が撮像した画像を水平方向に反転させるかを判定するステップ、
前記撮像装置が撮像した画像を水平方向に選択的に反転させるステップ、
をコンピュータに実行させ、
前記反転させるステップでは、
前記画像を水平方向に反転させると判定された場合には、前記撮像装置が撮像した画像を水平方向に反転させて、水平方向に反転させた画像を前記表示装置に表示させ、
前記画像を水平方向に反転させると判定されない場合には、前記撮像装置が撮像した画像を前記表示装置に表示させる、プログラム。
（９）
１または２以上の撮像を行う撮像装置と、
１または２以上の画像を表示する表示装置と、
前記撮像装置、および前記表示装置それぞれと通信を行う表示制御装置と、
を有し、
前記表示制御装置は、
前記撮像装置、および前記表示装置それぞれと通信を行う通信部と、
前記撮像装置、および前記表示装置それぞれの位置を特定する位置特定部と、
画像を表示させる表示装置の位置と、表示させる前記画像を撮像する撮像装置の位置とに基づいて、前記撮像装置が撮像した画像を水平方向に反転させるかを判定する処理判定部と、
前記撮像装置が撮像した画像を水平方向に選択的に反転させる処理部と、
を備え、
前記処理部は、
前記画像を水平方向に反転させると判定された場合に、前記通信部が受信した、前記撮像装置から送信された画像信号が示す画像を水平方向に反転させて、水平方向に反転させた画像を示す画像信号を、前記撮像装置から送信された画像信号の送信先の表示装置へ送信させ、
前記画像を水平方向に反転させると判定されない場合には、前記通信部が受信した、前記撮像装置から送信された画像信号を、前記送信先の表示装置へ送信させる、表示制御システム。
【符号の説明】
【０２００】
１０、１０Ａ、１０Ｂ、１０Ｃ、１０Ｄ、３００    撮像装置
２０、２０Ａ、２０Ｂ、２０Ｃ、２００    表示装置
１００    表示制御装置
１０２、２０２、３０２    通信部
１０４、２０６、３０６    制御部
１１０    位置特定部
１１２    処理判定部
１１４    処理部
２０４、３０４    位置検出部
２０８    表示部
２１０    音声出力部
３０８    撮像部
５００、６００、７００、８００    ネットワーク
１０００、２０００、３０００    表示制御システム
【図１】
0005170278.tif 000002
【図２】
0005170278.tif 000003
【図３】
0005170278.tif 000004
【図４】
0005170278.tif 000005
【図５】
0005170278.tif 000006
【図６】
0005170278.tif 000007
【図７】
0005170278.tif 000008
【図８】
0005170278.tif 000009
【図９】
0005170278.tif 000010
【図１０】
0005170278.tif 000011
【図１１】
0005170278.tif 000012
【図１２】
0005170278.tif 000013
【図１３】
0005170278.tif 000014
【図１４】
0005170278.tif 000015
【図１５】
0005170278.tif 000016
【図１６】
0005170278.tif 000017